(57)【要約】【課題】受信した電子メッセージ情報の文章に含まれる感情に対応した返信メッセージ用の感情情報を自動で生成して返信メッセージに関連付けて送信する。【解決手段】受信した電子メッセージ情報に関連付けられている喜び、怒り、悲しさ、楽しさ、又は普通等の受信メッセージ感情情報を取得し、受信した電子メッセージ情報に対応する返信メッセージを入力して返信メッセージの文書を単語毎に区切り、予め単語毎に、喜び、怒り、悲しさ、楽しさ、又は普通等の感情情報を関連付けた感情辞書２２を参照して返信メッセージの単語毎に感情情報を取得し、その感情情報に基づいて決定した返信メッセージ感情情報又は受信メッセージ感情情報から返信メッセージの送信感情情報を決定し、その送信感情情報と返信メッセージとを関連付けた感情付返信メッセージを生成して返信するように構成した。【選択図】図１
2007271655.tif 000002
【特許請求の範囲】
【請求項１】
他の通信機器から受信した電子メッセージ情報に関連付けられている受信メッセージ感情情報を取得する受信メッセージ感情情報取得手段と、
受信した電子メッセージ情報に対応する返信メッセージを入力する返信メッセージ入力手段と、
前記返信メッセージの文書を単語毎に区切る形態素解析手段と、
予め前記単語毎に感情情報を関連付けた感情辞書を参照して、前記返信メッセージの区切られた単語毎に感情情報を取得し、その感情情報に基づいて返信メッセージ感情情報を取得する返信メッセージ感情情報取得手段と、
前記受信メッセージ感情情報又は前記返信メッセージ感情情報に基づいて送信感情情報を決定し、前記返信メッセージと前記送信感情情報とを関連付けた感情付返信メッセージを生成する感情付返信メッセージ生成手段と、
を備えることを特徴とする感情付加装置。
【請求項２】
前記送信感情情報を、前記受信メッセージ感情情報に応じた感情情報とする第１感情モードに設定する第１設定手段を備え、
前記感情付返信メッセージ生成手段は、
前記第１設定手段によって前記第１感情モードに設定されている場合には、前記受信メッセージ感情情報と前記送信感情情報とを関連付けた第１感情情報記憶手段を参照して、前記取得した受信メッセージ感情情報と関連する送信感情情報を取得し、前記返信メッセージと前記送信感情情報とを関連付けた感情付返信メッセージを生成する
ことを特徴とする請求項１に記載の感情付加装置。
【請求項３】
前記第１設定手段によって前記第１感情モードに設定されている場合において、前記送信感情情報を、前記受信メッセージ感情情報と同調した感情情報とする同調モードに設定する同調モード設定手段とを備え、
前記感情付返信メッセージ生成手段は、
前記同調モード設定手段によって前記同調モードに設定されている場合には、前記受信メッセージ感情情報と前記送信感情情報とを関連付けた同調モード用感情情報記憶手段を参照して、前記取得した受信メッセージ感情情報と関連する前記送信感情情報を取得し、前記返信メッセージと前記送信感情情報とを関連付けた感情付返信メッセージを生成する
ことを特徴とする請求項２に記載の感情付加装置。
【請求項４】
前記第１設定手段によって前記第１感情モードに設定されている場合において、前記送信感情情報を、前記受信メッセージ感情情報よりも和らげた感情情報とする温和モードに設定する温和モード設定手段を備え、
前記感情付返信メッセージ生成手段は、
前記温和モード設定手段によって前記温和モードに設定されている場合には、前記受信メッセージ感情情報と前記送信感情情報とを関連付けた温和モード用感情情報記憶手段を参照して、前記取得した受信メッセージ感情情報と関連する前記送信感情情報を取得し、前記返信メッセージと前記送信感情情報とを関連付けた感情付返信メッセージを生成する
ことを特徴とする請求項２又は３に記載の感情付加装置。
【請求項５】
前記返信メッセージ感情情報取得手段が取得した前記返信メッセージ感情情報を前記送信感情情報とする第２感情モードに設定する第２設定手段を備え、
前記感情付返信メッセージ生成手段は、
前記第２設定手段によって前記第２感情モードに設定されている場合には、前記返信メッセージ感情情報を前記送信感情情報として決定し、前記返信メッセージと前記送信感情情報とを関連付けた感情付返信メッセージを生成する
ことを特徴とする請求項１〜４のいずれか１項に記載の感情付加装置。
【請求項６】
前記送信感情情報を、前記受信メッセージ感情情報及び前記返信メッセージ感情情報に応じた感情情報とする第３感情モードに設定する第３設定手段を備え、
前記感情付返信メッセージ生成手段は、
前記第３設定手段によって前記第３感情モードに設定されている場合には、前記受信メッセージ感情情報と前記返信メッセージ感情情報と前記送信感情情報とを関連付けた第３感情情報記憶手段を参照して、前記取得した受信メッセージ感情情報及び前記返信メッセージ感情情報と関連する送信感情情報を取得し、前記返信メッセージと前記送信感情情報とを関連付けた感情付返信メッセージを生成する
ことを特徴とする請求項１〜５のいずれか１項に記載の感情付加装置。
【請求項７】
前記第３設定手段によって前記第３感情モードに設定されている場合において、前記受信メッセージ感情情報及び前記返信メッセージ感情情報の内、感情レベルの高い感情情報を前記送信感情情報とする感情レベル優先モードに設定する感情レベル優先モード設定手段を備え、
前記感情付返信メッセージ生成手段は、
前記感情レベル優先モード設定手段によって前記感情レベル優先モードに設定されている場合には、前記受信メッセージ感情情報及び前記返信メッセージ感情情報の内、感情レベルの高い感情情報を前記送信感情情報として取得し、前記返信メッセージと前記送信感情情報とを関連付けた感情付返信メッセージを生成する
ことを特徴とする請求項６に記載の感情付加装置。
【請求項８】
前記第３設定手段によって前記第３感情モードに設定されている場合において、前記受信メッセージ感情情報と前記返信メッセージ感情情報との所定の関係に対応する感情情報を前記送信感情情報とする感情関係モードに設定する感情関係モード設定手段とを備え、
前記感情付返信メッセージ生成手段は、
前記感情関係モード設定手段によって前記感情関係モードに設定されている場合には、前記受信メッセージ感情情報と前記返信メッセージ感情情報と前記送信感情情報とを関連付けた感情関係記憶手段を参照して、前記受信メッセージ感情情報及び前記返信メッセージ感情情報と所定の関係となる前記送信感情情報を取得し、前記返信メッセージと前記送信感情情報とを関連付けた感情付返信メッセージを生成する
ことを特徴とする請求項６又は７に記載の感情付加装置。
【請求項９】
前記返信メッセージ感情情報取得手段は、
予め感情種類とその感情レベルとを関連付けた感情辞書を参照して、前記返信メッセージの単語毎に感情種類とその感情レベルとを取得し、当該取得した返信メッセージの各感情情報のうち、最大の感情レベルを有する感情情報を、返信メッセージ感情情報として取得する
ことを特徴とする請求項１〜８のいずれか１項に記載の感情付加装置。
【請求項１０】
他の通信機器から受信した電子メッセージ情報を受信メッセージとして記憶するメッセージ記憶手段と、
前記受信メッセージを読み出して、前記受信メッセージの文書を単語毎に区切る受信メッセージ形態素解析手段と、
を備え、
前記電子メッセージ情報に前記受信メッセージ感情情報が関連付けられていない場合には、前記受信メッセージ感情情報取得手段は、
予め前記単語毎に感情情報を関連付けた感情辞書を参照して、前記受信メッセージの区切られた単語毎に感情情報を取得し、その感情情報に基づいて受信メッセージ感情情報を取得する
ことを特徴とする請求項１〜９のいずれか１項に記載の感情付加装置。
【請求項１１】
前記返信メッセージ感情情報取得手段は、前記返信メッセージ感情情報として、文章毎に返信メッセージ文章毎感情情報を取得し、
前記感情付返信メッセージ生成手段は、前記受信メッセージ感情情報及び前記返信メッセージ文章毎感情情報に基づいて送信文章感情情報を決定し、前記返信メッセージの各文章と前記送信文章感情情報とを関連付けた文章毎感情付返信メッセージを生成する、
ことを特徴とする請求項１〜１０のいずれかに１項に記載の感情付加装置。
【請求項１２】
前記感情付返信メッセージ生成手段は、
前記受信した電子メッセージ情報がＣＣ受信者（Ｃａｒｂｏｎ  Ｃｏｐｙ受信者）宛又はＢＣＣ受信者（Ｂｌｉｎｄ  Ｃａｒｂｏｎ  Ｃｏｐｙ受信者）宛の電子メールである場合には、前記受信メッセージ感情情報を前記送信感情情報として決定し、前記返信メッセージと前記送信感情情報とを関連付けた感情付返信メッセージを生成し、
前記受信した電子メールがＣＣ受信者宛又はＢＣＣ受信者宛の電子メールでない場合には、前記受信メッセージ感情情報又は前記返信メッセージ感情情報に基づいて前記送信感情情報を決定し、前記返信メッセージと前記送信感情情報とを関連付けた感情付返信メッセージを生成する
ことを特徴とする請求項１〜１１のいずれか１項に記載の感情付加装置。
【請求項１３】
前記電子メッセージ情報は電子メールであり、前記返信メッセージは、前記電子メールに対応する返信メールであることを特徴とする請求項１〜１２のいずれか１項に記載の感情付加装置。
【請求項１４】
電子メッセージ情報に関連付けられている感情情報を取得する受信メッセージ感情情報取得手段と、返信メッセージを入力する返信メッセージ入力手段と、文書を単語毎に区切る形態素解析手段と、前記返信メッセージの感情情報を取得する返信メッセージ感情情報取得手段と、前記返信メッセージと前記送信感情情報とを関連付けた感情付返信メッセージを生成する感情付返信メッセージ生成手段とを備える感情付加装置を用いた感情付加方法であって、
前記受信メッセージ感情情報取得手段が、他の通信機器から受信した電子メッセージ情報に関連付けられている受信メッセージ感情情報を取得するステップと、
前記返信メッセージ入力手段が、受信した電子メッセージ情報に対応する返信メッセージを入力するステップと、
前記形態素解析手段が、前記返信メッセージの文書を単語毎に区切るステップと、
前記返信メッセージ感情情報取得手段が、予め前記単語毎に感情情報を関連付けた感情辞書を参照して、前記返信メッセージの区切られた単語毎に感情情報を取得し、その感情情報に基づいて返信メッセージ感情情報を取得するステップと、
前記感情付返信メッセージ生成手段が、前記受信メッセージ感情情報又は前記返信メッセージ感情情報に基づいて送信感情情報を決定し、前記返信メッセージと前記送信感情情報とを関連付けた感情付返信メッセージを生成するステップと、
を含むことを特徴とする感情付加方法。
【請求項１５】
電子メッセージ情報に関連付けられている感情情報を取得する受信メッセージ感情情報取得手段と、返信メッセージを入力する返信メッセージ入力手段と、文書を単語毎に区切る形態素解析手段と、前記返信メッセージの感情情報を取得する返信メッセージ感情情報取得手段と、前記返信メッセージと前記送信感情情報とを関連付けた感情付返信メッセージを生成する感情付返信メッセージ生成手段と、前記受信メッセージ感情情報取得手段、前記返信メッセージ入力手段、前記形態素解析手段、前記返信メッセージ感情情報取得手段、及び前記感情付返信メッセージ生成手段を制御することが可能な情報処理手段とを備える感情付加装置の情報処理手段にて実行される感情付加プログラムであって、
前記情報処理手段が、
前記受信メッセージ感情情報取得手段に、他の通信機器から受信した電子メッセージ情報に関連付けられている受信メッセージ感情情報を取得する機能と、
前記返信メッセージ入力手段から、受信した電子メッセージ情報に対応する返信メッセージを入力する機能と、
前記形態素解析手段に、前記返信メッセージの文書を単語毎に区切る機能と、
前記返信メッセージ感情情報取得手段に、予め前記単語毎に感情情報を関連付けた感情辞書を参照して、前記返信メッセージの区切られた単語毎に感情情報を取得し、その感情情報に基づいて返信メッセージ感情情報を取得する機能と、
前記感情付返信メッセージ生成手段に、前記受信メッセージ感情情報又は前記返信メッセージ感情情報に基づいて送信感情情報を決定し、前記返信メッセージと前記送信感情情報とを関連付けた感情付返信メッセージを生成する機能と、
を実現させることを特徴とする感情付加プログラム。
【発明の詳細な説明】
【技術分野】
【０００１】
本発明は、ショートメッセージ、チャット、ブログ、又は電子メール等の電子メッセージ情報の文章の内容に応じて感情情報を付加する感情付加装置、感情付加方法及び感情付加プログラムに関する。
【背景技術】
【０００２】
近年、ドキュメントやインターネットのホームページに掲載された文章、ニュース、その他の任意の文章に対して構文解析を行って音韻情報を含む文章に変換し、その音韻情報を含む文章について所定の音声合成を行って合成音声を出力する音声合成装置が開発されている。
【０００３】
特に、電子メールで送受信されている文章を、一律の感情表現による音声合成を用いて自動で読み上げると、文章の内容と異なる感情による発声となるために、電子メールの内容に込められた感情が実際に意図したものとは異なってしまう。
【０００４】
そこで、電子メールの送信者の意図や感情を音声で表現するために、予め電子メールに基本的声質データや感情パラメータを付与して電子メールの読み上げ音声を変えるなどして感情表現を行う試みがなされている。
【０００５】
電子メールのテキストデータに添付されたピッチや母音フォルマント等の基本的声質データと、テキスト解析部が算出したテキストデータの音声合成規則と、予め用意された音声合成の音韻データ群及び声質データを用いて所定の声質に適応化させて音声合成規則に従った音声合成を行う電子メール受信装置の発明が知られている（例えば特許文献１参照。）。
【０００６】
特許文献１に記載の電子メール受信装置は、受信した電子メールに添付されている基本的声質データを用いて、電子メールの送信者の声質に似た合成音声を出力する装置である。そして、電子メールの送信者により指定された喜び、怒り、悲しみ等の感情パラメータを用いて、感情表現を伴う音声を出力する旨の記載がなされている。
【特許文献１】特開２００１−３４２８０号公報
【発明の開示】
【発明が解決しようとする課題】
【０００７】
特許文献１に記載の電子メール受信装置では、喜び、怒り、悲しみ等の感情を表現する抑揚を加えて電子メールを読み上げるために、予め電子メールの送信者が感情パラメータを設定するとともに、電子メールに添付する必要があった。
【０００８】
本発明は、例えばインターネットや携帯電話のキャリア等を経由してショートメッセージ、チャット、ブログ、又は電子メール等の電子メッセージ情報を受信し、その受信した電子メッセージ情報の文章の感情に対応した喜び、怒り、悲しさ、楽しさ、又は普通等の返信メッセージ用の感情情報を自動で生成して、返信メッセージに関連付けて送信することが可能な感情付加装置、感情付加方法及び感情付加プログラムを提供することを目的としている。
【課題を解決するための手段】
【０００９】
上記課題を解決するために、請求項１に記載の発明は、他の通信機器から受信した電子メッセージ情報に関連付けられている受信メッセージ感情情報を取得する受信メッセージ感情情報取得手段と、受信した電子メッセージ情報に対応する返信メッセージを入力する返信メッセージ入力手段と、前記返信メッセージの文書を単語毎に区切る形態素解析手段と、予め前記単語毎に感情情報を関連付けた感情辞書を参照して、前記返信メッセージの区切られた単語毎に感情情報を取得し、その感情情報に基づいて返信メッセージ感情情報を取得する返信メッセージ感情情報取得手段と、前記受信メッセージ感情情報又は前記返信メッセージ感情情報に基づいて送信感情情報を決定し、前記返信メッセージと前記送信感情情報とを関連付けた感情付返信メッセージを生成する感情付返信メッセージ生成手段とを備えることを特徴とする。
【００１０】
また、請求項２に記載の発明は、前記送信感情情報を前記受信メッセージ感情情報に応じた感情情報とする第１感情モードに設定する第１設定手段を備え、前記感情付返信メッセージ生成手段は、前記第１設定手段によって前記第１感情モードに設定されている場合には、前記受信メッセージ感情情報と前記送信感情情報とを関連付けた第１感情情報記憶手段を参照して、前記取得した受信メッセージ感情情報と関連する送信感情情報を取得し、前記返信メッセージと前記送信感情情報とを関連付けた感情付返信メッセージを生成することを特徴とする。
【００１１】
また、請求項３に記載の発明は、前記第１設定手段によって前記第１感情モードに設定されている場合において、前記送信感情情報を、前記受信メッセージ感情情報と同調した感情情報とする同調モードに設定する同調モード設定手段とを備え、前記感情付返信メッセージ生成手段は、前記同調モード設定手段によって前記同調モードに設定されている場合には、前記受信メッセージ感情情報と前記送信感情情報とを関連付けた同調モード用感情情報記憶手段を参照して、前記取得した受信メッセージ感情情報と関連する前記送信感情情報を取得し、前記返信メッセージと前記送信感情情報とを関連付けた感情付返信メッセージを生成することを特徴とする。
【００１２】
また、請求項４に記載の発明は、前記第１設定手段によって前記第１感情モードに設定されている場合において、前記送信感情情報を、前記受信メッセージ感情情報よりも和らげた感情情報とする温和モードに設定する温和モード設定手段を備え、前記感情付返信メッセージ生成手段は、前記温和モード設定手段によって前記温和モードに設定されている場合には、前記受信メッセージ感情情報と前記送信感情情報とを関連付けた温和モード用感情情報記憶手段を参照して、前記取得した受信メッセージ感情情報と関連する前記送信感情情報を取得し、前記返信メッセージと前記送信感情情報とを関連付けた感情付返信メッセージを生成することを特徴とする。
【００１３】
また、請求項５に記載の発明は、前記返信メッセージ感情情報取得手段が取得した前記返信メッセージ感情情報を前記送信感情情報とする第２感情モードに設定する第２設定手段を備え、前記感情付返信メッセージ生成手段は、前記第２設定手段によって前記第２感情モードに設定されている場合には、前記返信メッセージ感情情報を前記送信感情情報として決定し、前記返信メッセージと前記送信感情情報とを関連付けた感情付返信メッセージを生成することを特徴とする。
【００１４】
また、請求項６に記載の発明は、前記送信感情情報を、前記受信メッセージ感情情報及び前記返信メッセージ感情情報に応じた感情情報とする第３感情モードに設定する第３設定手段を備え、前記感情付返信メッセージ生成手段は、前記第３設定手段によって前記第３感情モードに設定されている場合には、前記受信メッセージ感情情報と前記返信メッセージ感情情報と前記送信感情情報とを関連付けた第３感情情報記憶手段を参照して、前記取得した受信メッセージ感情情報及び前記返信メッセージ感情情報と関連する送信感情情報を取得し、前記返信メッセージと前記送信感情情報とを関連付けた感情付返信メッセージを生成することを特徴とする。
【００１５】
また、請求項７に記載の発明は、前記第３設定手段によって前記第３感情モードに設定されている場合において、前記受信メッセージ感情情報及び前記返信メッセージ感情情報の内、感情レベルの高い感情情報を前記送信感情情報とする感情レベル優先モードに設定する感情レベル優先モード設定手段とを備え、前記感情付返信メッセージ生成手段は、前記感情レベル優先モード設定手段によって前記感情レベル優先モードに設定されている場合には、前記受信メッセージ感情情報及び前記返信メッセージ感情情報の内、感情レベルの高い感情情報を前記送信感情情報として取得し、前記返信メッセージと前記送信感情情報とを関連付けた感情付返信メッセージを生成することを特徴とする。
【００１６】
また、請求項８に記載の発明は、前記第３設定手段によって前記第３感情モードに設定されている場合において、前記受信メッセージ感情情報と前記返信メッセージ感情情報との所定の関係に対応する感情情報を前記送信感情情報とする感情関係モードに設定する感情関係モード設定手段とを備え、前記感情付返信メッセージ生成手段は、前記感情関係モード設定手段によって前記感情関係モードに設定されている場合には、前記受信メッセージ感情情報と前記返信メッセージ感情情報と前記送信感情情報とを関連付けた感情関係記憶手段を参照して、前記受信メッセージ感情情報及び前記返信メッセージ感情情報と所定の関係となる前記送信感情情報を取得し、前記返信メッセージと前記送信感情情報とを関連付けた感情付返信メッセージを生成することを特徴とする。
【００１７】
また、請求項９に記載の発明は、前記返信メッセージ感情情報取得手段は、予め感情種類とその感情レベルとを関連付けた感情辞書を参照して、前記返信メッセージの単語毎に感情種類とその感情レベルとを取得し、当該取得した返信メッセージの各感情情報のうち、最大の感情レベルを有する感情情報を返信メッセージ感情情報として取得することを特徴とする。
【００１８】
また、請求項１０に記載の発明は、他の通信機器から受信した電子メッセージ情報を受信メッセージとして記憶するメッセージ記憶手段と、前記受信メッセージを読み出して、前記受信メッセージの文書を単語毎に区切る受信メッセージ形態素解析手段とを備え、前記電子メッセージ情報に前記受信メッセージ感情情報が関連付けられていない場合には、前記受信メッセージ感情情報取得手段は、予め前記単語毎に感情情報を関連付けた感情辞書を参照して、前記受信メッセージの区切られた単語毎に感情情報を取得し、その感情情報に基づいて受信メッセージ感情情報を取得することを特徴とする。
【００１９】
また、請求項１１に記載の発明は、前記返信メッセージ感情情報取得手段は、前記返信メッセージ感情情報として、文章毎に返信メッセージ文章毎感情情報を取得し、前記感情付返信メッセージ生成手段は、前記受信メッセージ感情情報及び前記返信メッセージ文章毎感情情報に基づいて送信文章感情情報を決定し、前記返信メッセージの各文章と前記送信文章感情情報とを関連付けた文章毎感情付返信メッセージを生成することを特徴とする。
【００２０】
また、請求項１２に記載の発明は、前記感情付返信メッセージ生成手段は、前記受信した電子メッセージ情報がＣＣ受信者（Ｃａｒｂｏｎ  Ｃｏｐｙ受信者）宛又はＢＣＣ受信者（Ｂｌｉｎｄ  Ｃａｒｂｏｎ  Ｃｏｐｙ受信者）宛の電子メールである場合には、前記受信メッセージ感情情報を前記送信感情情報として決定し、前記返信メッセージと前記送信感情情報とを関連付けた感情付返信メッセージを生成し、前記受信した電子メッセージ情報がＣＣ受信者宛又はＢＣＣ受信者宛の電子メールでない場合には、前記受信メッセージ感情情報又は前記返信メッセージ感情情報に基づいて前記送信感情情報を決定し、前記返信メッセージと前記送信感情情報とを関連付けた感情付返信メッセージを生成することを特徴とする。
【００２１】
また、請求項１３に記載の発明は、前記電子メッセージ情報を電子メールとし、前記返信メッセージを、前記電子メールに対応する返信メールとしたことを特徴とする。
【００２２】
また、請求項１４に記載の発明は、電子メッセージ情報に関連付けられている感情情報を取得する受信メッセージ感情情報取得手段と、返信メッセージを入力する返信メッセージ入力手段と、文書を単語毎に区切る形態素解析手段と、前記返信メッセージの感情情報を取得する返信メッセージ感情情報取得手段と、前記返信メッセージと前記送信感情情報とを関連付けた感情付返信メッセージを生成する感情付返信メッセージ生成手段とを備える感情付加装置を用いた感情付加方法であって、前記受信メッセージ感情情報取得手段が他の通信機器から受信した電子メッセージ情報に関連付けられている受信メッセージ感情情報を取得するステップと、前記返信メッセージ入力手段が受信した電子メッセージ情報に対応する返信メッセージを入力するステップと、前記形態素解析手段が前記返信メッセージの文書を単語毎に区切るステップと、前記返信メッセージ感情情報取得手段が予め前記単語毎に感情情報を関連付けた感情辞書を参照して前記返信メッセージの区切られた単語毎に感情情報を取得し、その感情情報に基づいて返信メッセージ感情情報を取得するステップと、前記感情付返信メッセージ生成手段が前記受信メッセージ感情情報又は前記返信メッセージ感情情報に基づいて送信感情情報を決定し、前記返信メッセージと前記送信感情情報とを関連付けた感情付返信メッセージを生成するステップとを含むことを特徴とする。
【００２３】
また、請求項１５に記載の発明は、電子メッセージ情報に関連付けられている感情情報を取得する受信メッセージ感情情報取得手段と、返信メッセージを入力する返信メッセージ入力手段と、文書を単語毎に区切る形態素解析手段と、前記返信メッセージの感情情報を取得する返信メッセージ感情情報取得手段と、前記返信メッセージと前記送信感情情報とを関連付けた感情付返信メッセージを生成する感情付返信メッセージ生成手段と、前記受信メッセージ感情情報取得手段、前記返信メッセージ入力手段、前記形態素解析手段、前記返信メッセージ感情情報取得手段、及び前記感情付返信メッセージ生成手段を制御することが可能な情報処理手段とを備える感情付加装置の情報処理手段にて実行される感情付加プログラムであって、前記情報処理手段が、前記受信メッセージ感情情報取得手段に他の通信機器から受信した電子メッセージ情報に関連付けられている受信メッセージ感情情報を取得する機能と、前記返信メッセージ入力手段から受信した電子メッセージ情報に対応する返信メッセージを入力する機能と、前記形態素解析手段に前記返信メッセージの文書を単語毎に区切る機能と、前記返信メッセージ感情情報取得手段に、予め前記単語毎に感情情報を関連付けた感情辞書を参照して前記返信メッセージの区切られた単語毎に感情情報を取得し、その感情情報に基づいて返信メッセージ感情情報を取得する機能と、前記感情付返信メッセージ生成手段に前記受信メッセージ感情情報又は前記返信メッセージ感情情報に基づいて送信感情情報を決定し、前記返信メッセージと前記送信感情情報とを関連付けた感情付返信メッセージを生成する機能とを実現させることを特徴とする。
【発明の効果】
【００２４】
請求項１の発明によれば、他の通信機器から受信した電子メッセージ情報に関連付けられている受信メッセージ感情情報を取得し、受信した電子メッセージ情報に対応する返信メッセージを入力すると、返信メッセージの文書を形態素解析手段が単語毎に区切り、区切られた単語毎の感情情報に基づいて返信メッセージ感情情報を取得し、受信メッセージ感情情報又は返信メッセージ感情情報に基づいて送信感情情報を決定し、返信メッセージと送信感情情報とを関連付けた感情付返信メッセージを生成するようにしたので、この感情付返信メッセージを受信した相手方の端末装置では、その返信メッセージに関連付けられている感情情報を用いて、自己が送信した電子メッセージ情報の文章、又はその返信メッセージの内容に対応した感情で読み上げることが可能となる。
【００２５】
また、請求項２の発明によれば、第１感情モードに設定されている場合には、受信メッセージ感情情報と送信感情情報とを関連付けた第１感情情報記憶手段を参照して、受信メッセージ感情情報と関連する送信感情情報を添付した感情付返信メッセージを生成するようにしたので、相手から受信したメッセージの文章の感情を優先的に参酌した感情情報で自動再生することが可能な感情情報付きの返信メッセージを送信することができる。
【００２６】
また、請求項３の発明によれば、第１感情モードの同調モードに設定されている場合には、同調モード用感情情報記憶手段を参照して、受信メッセージ感情情報と関連する送信感情情報を添付した感情付返信メッセージを生成するうにしたので、相手の電子メッセージ情報の感情に同調させた感情情報で読み上げることが可能な感情情報付きの返信メッセージを自動で生成して送信することができる。
【００２７】
また、請求項４の発明によれば、第１感情モードの温和モードに設定されている場合には、温和モード用感情情報記憶手段を参照して、受信メッセージ感情情報と関連する送信感情情報を添付した感情付返信メッセージを生成するようにしたので、相手から受信したメッセージの文章に表現されている感情を和らげた感情で読み上げることが可能な感情情報付きの返信メッセージを自動で生成して送信することができる。
【００２８】
また、請求項５の発明によれば、第２感情モードに設定されている場合には、返信メッセージ感情情報を添付した感情付返信メッセージを生成するようにしたので、返信メッセージの内容を優先した感情で読み上げることが可能な感情情報付きの返信メッセージを自動で生成して送信することができる。
【００２９】
また、請求項６の発明によれば、第３感情モードに設定されている場合には、受信メッセージ感情情報と返信メッセージ感情情報と送信感情情報とを関連付けた第３感情情報記憶手段を参照して、受信メッセージ感情情報及び返信メッセージ感情情報と関連する送信感情情報を添付した感情付返信メッセージを生成するようにしたので、相手から受信したメッセージの文章及び返信メッセージの文章に表現されている感情を参酌して、双方の感情を反映した感情情報で表現された感情情報付きの返信メッセージを自動で生成して送信することができる。
【００３０】
また、請求項７の発明によれば、第３感情モードの感情レベル優先モード設定手段に設定されている場合には、受信メッセージ感情情報及び返信メッセージ感情情報のうち感情レベルの高い感情情報を添付した感情付返信メッセージを生成するようにしたので、強い感情表現を優先した感情情報付きの返信メッセージを自動で生成して送信することができる。
【００３１】
また、請求項８の発明によれば、第３感情モードの感情関係モードに設定されている場合には、受信メッセージ感情情報と返信メッセージ感情情報と送信感情情報とを関連付けた感情関係記憶手段を参照して、受信メッセージ感情情報及び返信メッセージ感情情報と所定の関係となる送信感情情報を添付した感情付返信メッセージを生成するようにしたので、相手から受信したメッセージの文章及び返信メッセージの文章に表現されている感情を参酌して、双方の感情を反映した感情情報付きの返信メッセージを自動で生成して送信することができる。
【００３２】
また、請求項９の発明によれば、返信メッセージ感情情報取得手段が感情辞書を参照して返信メッセージの単語毎に感情種類とその感情レベルとを取得し、当該取得した各感情情報のうち、最大の感情レベルを有する感情情報付きの感情付返信メッセージを生成するようにした。この感情付返信メッセージを受信した相手方の端末装置では、その返信メッセージに関連付けられている感情情報を用いて、自己が送信した電子メッセージ情報の文章、又はその返信メッセージの内容に対応した感情で表現された返信メッセージを自動で再生することができる。
【００３３】
また、請求項１０の発明によれば、他の通信機器から受信した受信メッセージの区切られた単語毎に感情情報を取得し、その感情情報に基づいて受信メッセージ感情情報を取得するようにしたので、受信した電子メッセージ情報に受信メッセージ感情情報が関連付けられていない場合であっても、受信した電子メッセージ情報の内容に対応した感情情報を自動で関連付けた返信メッセージを生成して返信することができる。
【００３４】
また、請求項１１の発明によれば、返信メッセージの文章毎に返信メッセージ文章毎感情情報を取得して送信文章感情情報を決定し、返信メッセージの各文章と送信文章感情情報とを関連付けた文章毎感情付返信メッセージを生成するようにしたので、電子メッセージ情報の文章毎に、喜び、怒り、悲しさ、楽しさ、又は普通等の感情で表現された感情情報付きの返信メッセージを自動で再生することができる。
【００３５】
また、請求項１２の発明によれば、受信した電子メッセージ情報がＣＣ受信者（Ｃａｒｂｏｎ  Ｃｏｐｙ受信者）宛又はＢＣＣ受信者（Ｂｌｉｎｄ  Ｃａｒｂｏｎ  Ｃｏｐｙ受信者）宛の電子メールである場合には、受信メッセージ感情情報を添付した感情付返信メッセージを生成するようにした。また、受信した電子メッセージ情報がＣＣ受信者宛又はＢＣＣ受信者宛の電子メールでない場合には、受信メッセージ感情情報又は返信メッセージ感情情報に基づいて決定した送信感情情報を添付した感情付返信メッセージを生成するようにした。したがって、当事者以外の者が返信する返信メッセージの感情情報を、受信メッセージの感情情報と合わせることができる。この感情付返信メッセージを受信した相手方の端末装置では、自身が送信した相手によって、その電子メッセージ情報に応じた感情情報で表現された返信メッセージを自動で再生することができる。
【００３６】
また、請求項１３の発明によれば、前記電子メッセージ情報を電子メールとし、前記返信メッセージを、前記電子メールに対応する返信メールとしたので、他の通信機器から受信した電子メールに関連付けられている受信メッセージ感情情報を取得し、受信した電子メールに対応する返信メールを入力すると、返信メールの文書を形態素解析手段が単語毎に区切り、区切られた単語毎の感情情報に基づいて返信メッセージ感情情報を取得し、受信メッセージ感情情報又は返信メッセージ感情情報に基づいて送信感情情報を決定し、返信メールと送信感情情報とを関連付けた感情付返信メッセージを生成するようにしたので、この感情付返信メッセージ（感情付きの返信メール。）を受信した相手方の端末装置では、その返信メールに関連付けられている感情情報を用いて、自己が送信した電子メールの文章、又はその返信メールの内容に対応した感情で読み上げることが可能となる。
【００３７】
また、請求項１４の発明によれば、他の通信機器から受信した電子メッセージ情報に関連付けられている受信メッセージ感情情報を取得し、受信した電子メッセージ情報に対応する返信メッセージを入力すると、返信メッセージの文書を形態素解析手段が単語毎に区切り、区切られた単語毎の感情情報に基づいて返信メッセージ感情情報を取得し、受信メッセージ感情情報又は返信メッセージ感情情報に基づいて送信感情情報を決定し、返信メッセージと送信感情情報とを関連付けた感情付返信メッセージを生成するようにしたので、この感情付返信メッセージを受信した相手方の端末装置では、その返信メッセージに関連付けられている感情情報を用いて、自己が送信した電子メッセージ情報の文章、又はその返信メッセージの内容に対応した感情で読み上げることが可能となる。
【００３８】
また、請求項１５の発明によれば、他の通信機器から受信した電子メッセージ情報に関連付けられている受信メッセージ感情情報を取得し、受信した電子メッセージ情報に対応する返信メッセージを入力すると、返信メッセージの文書を形態素解析手段が単語毎に区切り、区切られた単語毎の感情情報に基づいて返信メッセージ感情情報を取得し、受信メッセージ感情情報又は返信メッセージ感情情報に基づいて送信感情情報を決定し、返信メッセージと送信感情情報とを関連付けた感情付返信メッセージを生成するようにしたので、この感情付返信メッセージを受信した相手方の端末装置では、その返信メッセージに関連付けられている感情情報を用いて、自己が送信した電子メッセージ情報の文章、又はその返信メッセージの内容に対応した感情で読み上げることが可能となる。
【発明を実施するための最良の形態】
【００３９】
以下、本発明を実施するための最良の形態を、図面に基づき説明する。
【００４０】
先ず、図１を参照して、本発明の実施の形態に係る感情付加装置９００の信号処理系ブロックの構成と、それぞれのブロックの機能について説明する。
【００４１】
感情付加装置９００は、例えばインターネット１０を経由してショートメッセージ、チャット、ブログ、又は電子メール等の電子メッセージ情報を受信し、その受信した電子メッセージ情報に関連付けられている感情情報に応じた返信メッセージの感情情報を自動で生成して返信メッセージに関連付ける機能を備える、携帯電話やコンピュータ装置等の通信機器である。
【００４２】
また、感情付加装置９００は、感情情報が関連付けられていない通常の電子メッセージ情報を受信した場合には、受信した電子メッセージ情報の内容に応じた感情情報を自動で生成して関連付ける機能を備えている。そして、喜び、怒り、悲しさ、楽しさ、又は普通等の感情情報が関連付けられている電子メッセージ情報に対して音声合成を行って、感情表現された合成音声を出力する機能を備えている。なお、受信した電子メッセージ情報のことを、以降受信メッセージと呼び、受信メッセージには受信した電子メール（以降受信メールと呼ぶ。）を含むものとする。また、返信メッセージには、返信する電子メール（以降返信メールと呼ぶ。）を含むものとする。
【００４３】
感情付加装置９００は、通信手段として、無線ＬＡＮや携帯電話等のキャリアと電波の送受信を行うためのアンテナ９６０と、他の通信機器と電子メッセージ情報や各種情報の送受信を行うことが可能な無線送受信手段９６１と、インターネット１０等の有線の通信網を介して他の通信機器と電子メッセージ情報や各種情報の送受信を行うことが可能な有線送受信手段９６２とを備えている。
【００４４】
また、感情付加装置９００は、キーボードやマウス、トラックボール、タブレット等から構成される入力手段９７０と、入力手段９７０が利用者から入力した文字や各種指示情報をバス９９９を介してＣＰＵ等から構成される情報処理手段９８０に伝達する入力インターフェース９７１と、文字や画像を利用者に対して表示する表示手段９７２と、情報処理手段９８０からバス９９９を介して表示情報を取得して表示手段に出力する表示インターフェース９７３とを備えている。
【００４５】
また、感情付加装置９００は、各種文章、感情辞書２２、音響辞書２４、及び各種処理プログラムを記憶するとともに情報処理手段９８０の作業領域として用いることが可能なハードディスク又は半導体メモリ等の記憶手段９８４と、電子メッセージ情報の文章や各種処理プログラム、定数その他の情報を一時記憶するとともに情報処理手段９８０の作業領域として用いることが可能なＲＡＭ９８１と、情報処理手段９８０が実行するＢＩＯＳ（ｂａｓｉｃ  ｉｎｐｕｔ  ｏｕｔｐｕｔ  ｓｙｓｔｅｍ）等のプログラムや定数、その他の情報を記憶するＲＯＭ９８３と、時間を計測するタイマ９９０とを備えている。
【００４６】
また、感情付加装置９００は、文章を読み上げる際に合成した音声情報を情報処理手段９８０から取得して音声信号に変換し、増幅して出力する出力音声処理手段９６６と、音声信号を空気の振動に変換して音を発声するスピーカ等の音声出力手段９６５とを備えている。
【００４７】
また、感情付加装置９００は、無線又は有線の通信処理、入力手段９７０を介して入力された入力情報の処理、表示手段９７２に各種情報を表示するための表示処理、記憶手段９８４、ＲＡＭ９８１、又はＲＯＭ９８３等に対する情報の書き込み又は読み出し処理、記憶手段９８４又は他の通信機器に対して電子メッセージ情報を送受信する処理、受信メッセージに関連付けられている受信メッセージ感情情報を入力する処理、受信メッセージの内容から感情情報を取得して受信メッセージ感情情報を取得する処理、返信メッセージを入力する処理、文章を区切る処理、文章全体又は特定単位毎に返信メッセージ感情情報を取得する処理、返信メッセージと送信感情情報とを関連付けた感情付返信メッセージを生成する処理、各感情モードの設定処理、設定された各感情モードに応じて送信感情情報を決定する処理、音韻情報を発音単位毎に関連付けて音韻付文章を生成する処理、発音単位毎に音声信号を生成する処理、又はその他の処理を処理プログラムに基づいて実行する情報処理手段９８０を備えている。
【００４８】
感情付加装置９００の情報処理手段９８０とその周辺の回路は、バス９９９で接続されており、相互に高速な情報の伝達を行うことが可能となっている。そして情報処理手段９８０にて動作する処理プログラムの指示に基づいて、情報処理手段９８０は周辺の回路を制御することが可能となっている。なお、情報処理手段９８０にて実行される処理プログラムは、記録媒体や通信によって提供することが可能である。また、各周辺の回路をＡＳＩＣ等で構成することも可能である。
【００４９】
以下に、情報処理手段９８０がプログラムに基づいて実現することが可能な各機能について説明する。
【００５０】
［形態素解析手段２８について］
形態素解析手段２８は、受信した電子メッセージ情報や返信メッセージ等の文章を区切る機能を備えている。形態素解析手段２８は、感情辞書２２の辞書見出し（図１３、図１４参照）単位に文章を区切り、以下、形態素解析手段２８によって区分されたものを単語とよぶ。この単語が請求項の単語に対応する。形態素解析手段２８の機能は、情報処理手段９８０が実行するプログラムを用いて実現してもよいし、専用の処理回路を用いて実現してもよい。
【００５１】
［受信メッセージ感情情報取得手段２６について］
受信メッセージ感情情報取得手段２６は、利用者による指示に基づいて、記憶手段９８４等（メッセージ記憶手段２０の機能を含む。）に記憶されている受信メッセージ、又はその受信メッセージに関連付けられている喜び、怒り、悲しさ、楽しさ、若しくは普通等の受信メッセージ感情情報を入力する機能を備えている。電子メッセージ情報の受信又は受信メッセージ感情情報の受信は、無線送受信手段９６１又は有線送受信手段９６２を介して他の通信機器のメッセージ記憶手段２０から入力するようにしてもよい。
【００５２】
また、受信メッセージ感情情報取得手段２６は、受信メッセージに受信メッセージ感情情報が関連付けられていない場合には、予め単語（辞書見出し）毎に、喜び、楽しさ、悲しさ、怒り、普通、又は感情強調等の感情情報を関連付けた感情辞書２２を参照して、受信メッセージの単語毎に感情情報を取得し、その感情情報に基づいて受信メッセージ感情情報を取得する機能を備えている。受信メッセージ感情情報取得手段２６の機能は、情報処理手段９８０が実行するプログラムを用いて実現してもよいし、専用の処理回路を用いて実現してもよい。
【００５３】
なお、上記のメッセージ記憶手段２０は、インターネット１０や携帯電話等のキャリアから無線送受信手段９６１又は有線送受信手段９６２等の通信手段を介して受信した電子メッセージ情報を受信メッセージとして記憶する機能を備えている。
【００５４】
［返信メッセージ入力手段２７について］
返信メッセージ入力手段２７は、受信した電子メッセージ情報に対応する返信メッセージを、入力インターフェース９７１、無線送受信手段９６１、又は有線送受信手段９６２等のインターフェースを介して入力する機能を備えている。利用者がキーボード等の入力手段を操作して返信メッセージを入力した場合には、情報処理手段９８０が入力インターフェース９７１を介して返信メッセージを入力する。
【００５５】
また、受信メッセージに対応する返信メッセージを、無線送受信手段９６１又は有線送受信手段９６２等のインターフェースを介して他の通信機器から入力することも可能である。返信メッセージ入力手段２７の機能は、情報処理手段９８０が実行するプログラムを用いて実現してもよいし、専用の処理回路を用いて実現してもよい。
【００５６】
［返信メッセージ感情情報取得手段３０について］
返信メッセージ感情情報取得手段３０は、予め単語（辞書見出し）毎に、喜び、怒り、悲しさ、楽しさ、又は普通等の感情情報を関連付けた感情辞書２２を参照して、形態素解析手段２８によって区切られた返信メッセージの単語毎に感情情報を取得し、その感情情報に基づいて返信メッセージ全体の返信メッセージ感情情報を取得する機能を備えている。
【００５７】
また、返信メッセージ感情情報取得手段３０は、感情辞書２２を参照して、返信メッセージの単語毎に感情種類とその感情レベルとを取得し、当該取得した返信メッセージの各感情情報のうち、最大の感情レベルを有する感情情報を、返信メッセージ感情情報として取得する機能を備えている。
【００５８】
また、返信メッセージ感情情報取得手段３０は、電子メッセージ情報における文章毎の感情情報を、返信メッセージ文章毎感情情報として取得する機能を備えている。
【００５９】
また、返信メッセージ感情情報取得手段３０は、文章中の自立語、文節、鉤括弧内、句読点間等の文中の特定単位毎に感情情報を付与する機能を備えている。
【００６０】
また、返信メッセージ感情情報取得手段３０は、感情情報として感情種類とその感情レベルとを関連付けた感情辞書２２を参照して、形態素解析手段２８によって区切られた文章の単語（辞書見出し）毎に感情種類とその感情レベルとを取得し、当該取得した各感情種類のうち最大の感情レベルを有する感情情報を返信メッセージ感情情報として取得する機能を備えている。
【００６１】
また、返信メッセージ感情情報取得手段３０は、形態素解析手段２８によって区切られた単語毎に取得した感情情報により、各感情種類毎に感情レベルの数値を加算して得た各感情種類のうち、感情レベルの数値が最大となる感情種類とその加算した感情レベルを返信メッセージ感情情報として取得する機能を備えている。
【００６２】
また、返信メッセージ感情情報取得手段３０は、予め単語（辞書見出し）と感情強調情報とを関連付けた感情辞書２２を参照して、形態素解析手段２８によって区切られた文章の単語毎に感情強調情報を取得し、当該取得した感情強調情報を感情レベルに加算又は乗算した感情情報を、返信メッセージ感情情報として取得する機能を備えている。
【００６３】
また、返信メッセージ感情情報取得手段３０は、自立語の単語（辞書見出し）と感情情報、及び、付属語の単語（辞書見出し）と感情情報とを関連付けた感情辞書２２を参照して、形態素解析手段２８によって区切られた文章の単語（辞書見出し）毎に感情情報を取得し、当該取得した感情情報をもとに文章中に異なる感情情報がある場合には、付属語の感情を優先した感情情報を返信メッセージ感情情報として取得する機能を備えている。
【００６４】
また、返信メッセージ感情情報取得手段３０は、文章中に出現する各感情種類毎に出現頻度を加算して、加算した各感情種類のうち出現頻度が最大となる感情種類を返信メッセージ感情情報として取得する機能を備えている。
【００６５】
また、返信メッセージ感情情報取得手段３０は、取得した各感情情報の中から、最大の感情レベル、又は、最大頻度となる一つの感情種類を特定することができない場合には、出現順が後ろの感情種類を返信メッセージ感情情報として取得する機能を備えている。
【００６６】
また、返信メッセージ感情情報取得手段３０は、取得した各感情情報の中から、最大の感情レベル、又は、最大頻度となる一つの感情種類を特定することができない場合には、取得した複数の感情情報のうち優先順位の高い感情種類を返信メッセージ感情情報として取得する機能を備えている。
【００６７】
また、返信メッセージ感情情報取得手段３０は、取得した各感情情報の中から、最大の感情レベル、又は、最大頻度となる一つの感情種類を特定することができない場合には、文章中の自立語、文節、句読点間等の単位で区切り、別々の感情種類を付与する機能を備えている。
【００６８】
また、返信メッセージ感情情報取得手段３０は、取得した各感情情報の中から、最大の感情レベル、又は、最大頻度となる一つの感情種類を特定することができない場合であって、当該文章の前に前文章が存在する場合には、その前文章の感情情報を当該文章の感情情報として取得する機能を備えている。
【００６９】
これら返信メッセージ感情情報取得手段３０の各機能は、情報処理手段９８０が実行するプログラムを用いて実現してもよいし、専用の処理回路を用いて実現してもよい。
【００７０】
［感情付返信メッセージ生成手段３２について］
感情付返信メッセージ生成手段３２は、受信メッセージ感情情報又は返信メッセージ感情情報に基づいて送信感情情報を決定し、返信メッセージと送信感情情報とを関連付けた感情付返信メッセージを生成する機能を備えている。感情付返信メッセージ生成手段３２の機能は、情報処理手段９８０が実行するプログラムを用いて実現してもよいし、専用の処理回路を用いて実現してもよい。
【００７１】
また、感情付返信メッセージ生成手段３２は、同調モード設定手段によって同調モードに設定されている場合には、受信メッセージ感情情報と送信感情情報とを関連付けた同調モード用感情情報記憶手段を参照して、取得した受信メッセージ感情情報と関連する送信感情情報を取得し、返信メッセージと送信感情情報とを関連付けた感情付返信メッセージを生成する機能を備えている。
【００７２】
また、感情付返信メッセージ生成手段３２は、温和モード設定手段によって温和モードに設定されている場合には、受信メッセージ感情情報と送信感情情報とを関連付けた温和モード用感情情報記憶手段を参照して、取得した受信メッセージ感情情報と関連する送信感情情報を取得し、返信メッセージと送信感情情報とを関連付けた感情付返信メッセージを生成する機能を備えている。
【００７３】
また、感情付返信メッセージ生成手段３２は、第１設定手段によって第１感情モードに設定されている場合には、受信メッセージ感情情報と送信感情情報とを関連付けた第１感情情報記憶手段を参照して、取得した受信メッセージ感情情報と関連する送信感情情報を取得し、返信メッセージと送信感情情報とを関連付けた感情付返信メッセージを生成する機能を備えている。前述の第１感情情報記憶手段は、上述の同調モード用感情情報記憶手段又は温和モード用感情情報記憶手段等の感情情報記憶手段である。
【００７４】
また、感情付返信メッセージ生成手段３２は、第２設定手段によって第２感情モードに設定されている場合には、返信メッセージ感情情報を送信感情情報として決定し、返信メッセージと送信感情情報とを関連付けた感情付返信メッセージを生成する機能を備えている。
【００７５】
また、感情付返信メッセージ生成手段３２は、感情レベル優先モードに設定されている場合には、受信メッセージ感情情報及び返信メッセージ感情情報の内、感情レベルの高い感情情報を送信感情情報として取得し、返信メッセージと送信感情情報とを関連付けた感情付返信メッセージを生成する機能を備えている。
【００７６】
また、感情付返信メッセージ生成手段３２は、感情関係モード設定手段によって感情関係モードに設定されている場合には、受信メッセージ感情情報と返信メッセージ感情情報と送信感情情報とを関連付けた感情関係記憶手段を参照して、受信メッセージ感情情報及び返信メッセージ感情情報と所定の関係を有する送信感情情報を取得し、返信メッセージと送信感情情報とを関連付けた感情付返信メッセージを生成する機能を備えている。
【００７７】
また、感情付返信メッセージ生成手段３２は、第３設定手段によって第３感情モードに設定されている場合には、受信メッセージ感情情報と返信メッセージ感情情報と送信感情情報とを関連付けた第３感情情報記憶手段を参照して、取得した受信メッセージ感情情報及び返信メッセージ感情情報と関連する送信感情情報を取得し、返信メッセージと送信感情情報とを関連付けた感情付返信メッセージを生成する機能を備えている。前述の第３感情情報記憶手段は、上述の感情関係記憶手段等の感情情報記憶手段である。
【００７８】
また、感情付返信メッセージ生成手段３２は、受信した電子メッセージ情報がＣＣ受信者（Ｃａｒｂｏｎ  Ｃｏｐｙ受信者）宛又はＢＣＣ受信者（Ｂｌｉｎｄ  Ｃａｒｂｏｎ  Ｃｏｐｙ受信者）宛の電子メッセージ情報である場合には、受信メッセージ感情情報を送信感情情報として決定し、返信メッセージと送信感情情報とを関連付けた感情付返信メッセージを生成する機能を備えている。また、受信した電子メッセージ情報がＣＣ受信者宛又はＢＣＣ受信者宛の電子メッセージ情報でない場合には、受信メッセージ感情情報又は返信メッセージ感情情報に基づいて送信感情情報を決定し、返信メッセージと送信感情情報とを関連付けた感情付返信メッセージを生成する機能を備えている。
【００７９】
また、感情付返信メッセージ生成手段３２は、受信メッセージ感情情報及び返信メッセージ文章毎感情情報に基づいて送信文章感情情報を決定し、返信メッセージの各文章と送信文章感情情報とを関連付けた文章毎感情付返信メッセージを生成する機能を備えている。
【００８０】
［第１設定手段について］
第１設定手段は、送信感情情報を、受信メッセージ感情情報に応じた感情情報とする第１感情モードに設定する機能を備えている。第１設定手段の機能は、利用者から第１感情モードの設定情報を入力するキーボード等の入力手段９７０やタッチパネルの機能を有する表示手段９７２を用いて実現するようにしてもよいし、情報処理手段９８０が第１感情モードの設定を実現するようにしてもよい。
【００８１】
［同調モード設定手段について］
同調モード設定手段は、送信感情情報を、受信メッセージ感情情報と同調した感情情報とするモードに設定する機能を備えている。同調モード設定手段の機能は、利用者から同調モードの設定情報を入力するキーボード等の入力手段９７０やタッチパネルの機能を有する表示手段９７２を用いて実現するようにしてもよいし、情報処理手段９８０が同調モードの設定を実現するようにしてもよい。
【００８２】
［温和モード設定手段について］
温和モード設定手段は、送信感情情報を、受信メッセージ感情情報よりも和らげた感情情報とする温和モードに設定する機能を備えている。温和モード設定手段の機能は、利用者から温和モードの設定情報を入力するキーボード等の入力手段９７０やタッチパネルの機能を有する表示手段９７２を用いて実現するようにしてもよいし、情報処理手段９８０が温和モードの設定を実現するようにしてもよい。
【００８３】
［第２設定手段について］
第２設定手段は、返信メッセージ感情情報取得手段３０が取得した返信メッセージ感情情報を送信感情情報とする第２感情モードに設定する機能を備えている。第２設定手段の機能は、利用者から第２感情モードの設定情報を入力するキーボード等の入力手段９７０やタッチパネルの機能を有する表示手段９７２を用いて実現するようにしてもよいし、情報処理手段９８０が第２感情モードの設定を実現するようにしてもよい。
【００８４】
［第３設定手段について］
第３設定手段は、送信感情情報を、受信メッセージ感情情報及び返信メッセージ感情情報に応じた感情情報とする第３感情モードに設定する機能を備えている。第３設定手段の機能は、利用者から第３感情モードの設定情報を入力するキーボード等の入力手段９７０やタッチパネルの機能を有する表示手段９７２を用いて実現するようにしてもよいし、情報処理手段９８０が第３感情モードの設定を実現するようにしてもよい。
【００８５】
［感情レベル優先モード設定手段について］
感情レベル優先モード設定手段は、受信メッセージ感情情報及び返信メッセージ感情情報の内、感情レベルの高い感情情報を送信感情情報とする感情レベル優先モードに設定する機能を備えている。感情レベル優先モード設定手段の機能は、利用者から感情レベル優先モードの設定情報を入力するキーボード等の入力手段９７０やタッチパネルの機能を有する表示手段９７２を用いて実現するようにしてもよいし、情報処理手段９８０が感情レベル優先モードの設定を実現するようにしてもよい。
【００８６】
［感情関係モード設定手段について］
感情関係モード設定手段は、受信メッセージ感情情報と返信メッセージ感情情報との所定の関係に対応する感情情報を送信感情情報とする感情関係モードに設定する機能を備えている。感情関係モード設定手段の機能は、利用者から感情関係モードの設定情報を入力するキーボード等の入力手段９７０やタッチパネルの機能を有する表示手段９７２を用いて実現するようにしてもよいし、情報処理手段９８０が感情関係モードの設定を実現するようにしてもよい。
【００８７】
［受信メッセージ形態素解析手段について］
受信メッセージ形態素解析手段は、メッセージ記憶手段２０から受信メッセージを読み出して、形態素解析手段２８と同様に、受信メッセージの文書を感情辞書２２の辞書見出し（図１３、図１４参照）単位（単語）毎に区切る機能を備えている。この区切られた単語毎に感情情報を取得することによって、受信メッセージに受信メッセージ感情情報が関連付けられていない場合であっても、取得した感情情報に基づいて受信メッセージ感情情報を取得することが可能となる。
【００８８】
次に、フローチャートを用いて感情付加装置９００が実行する処理について説明する。
【００８９】
図２は、受信した電子メール（電子メッセージ情報の一形態を示す。）中の単語に感情情報を関連付け、その感情情報に基づいて表現された音声を自動で発生させる処理のフローチャートである。以降、電子メッセージ情報の一形態として、受信した電子メールとその返信メールを用いた実施例を用いて説明する。
【００９０】
先ず、ステップＳ１０４「受信メールの読み上げ指示」（以降、Ｓ１０４のように省略して記載する。）にて利用者が、感情付加装置９００の入力手段９７０等を操作して、自動で読み上げる受信メール（受信メッセージの一形態を示す。）を指示する情報を入力する。この入力は、利用者が直接感情付加装置９００の入力手段９７０を操作して入力してもよいし、有線送受信手段９６２若しくは無線送受信手段９６１等を介して他の通信機器から受信メールの読み上げ指示を入力するようにしてもよい。
【００９１】
利用者等から、自動で読み上げる受信メールが指示されると、その指示はバス９９９を介して情報処理手段９８０が取得する。すると、情報処理手段９８０（受信メッセージ感情情報取得手段２６の機能を含む。）はＳ２０４「読み上げ指示された受信メールを入力」にて、指示された一連の文章をメッセージ記憶手段２０に入力する処理を行う。メッセージ記憶手段２０は、記憶手段９８４内部に設けても良いし、他の通信機器機やサーバ等に設けてもよい。Ｓ２０４にて、指示された受信メールの入力処理が終了すると、情報処理手段９８０が実行する処理はＳ２０６「受信メールに感情情報あり？」の判断に進む。
【００９２】
Ｓ２０６にて情報処理手段９８０（受信メッセージ感情情報取得手段２６の機能を含む。）は、利用者からの指示に基づいて入力した受信メールに、喜び、怒り、悲しさ、楽しさ、又は普通等の受信メッセージ感情情報が関連付けられているか否かの判断を行う。もし、受信メールに受信メッセージ感情情報が関連付けられていると判断した場合（Ｓ２０６；Ｙｅｓ）には、Ｓ２１４「音韻付文章の生成」の処理に分岐し、もし受信メールに受信メッセージ感情情報が関連付けられていないと判断した場合（Ｓ２０６；Ｎｏ）には、Ｓ２０８「メールの感情情報を取得」の処理に進む。
【００９３】
Ｓ２０８にて情報処理手段９８０（受信メッセージ感情情報取得手段２６の機能を含む。）は、受信メールに受信メッセージ感情情報が関連付けられていないことを受けて、予め単語毎に、喜び、楽しさ、悲しさ、怒り、普通、又は感情強調等の感情情報を関連付けた感情辞書２２を参照して、受信メッセージ形態素解析手段によって区切られた受信メールの単語毎に感情情報を取得し、その感情情報に基づいて受信メッセージ感情情報を取得する処理を行う。Ｓ２０８の処理の詳細については、図３に示すフローチャートを用いて別途説明することとする。
【００９４】
例えば、Ｓ２０４にて「今日ちょっといいことあってさ〜（´∀｀）」という受信メール（実施例１とする。）を入力したとすると、Ｓ２０８にて「今日（副詞）／ちょっと（副詞）／いいこと（名詞［喜１］）／ある（動詞）／た（助動詞）／さ（助詞）／（´∀｀）（絵文字［喜１］）」という感情情報付きの文章を取得する。そして、各単語毎の感情情報のうち「いいこと」という名詞の感情種類［喜］とその感情レベル［１］、及び、「（´∀｀）」という絵文字の感情種類［喜］とその感情レベル［１］に基づいて、例えば［喜１］という受信メッセージ感情情報を取得する処理を行う。
【００９５】
Ｓ２０８の処理が終了すると、次のＳ２１４の処理に進む。
【００９６】
Ｓ２１４にて情報処理手段９８０は、受信メールの単語の読み、アクセント、品詞及び受信メッセージ感情情報を用い、音響辞書２４を参照して、発音単位毎に音韻情報を関連付けた音韻付文章の生成を行う。音響辞書２４に対しては、音素、音節、モーラ、形態素、単語、又はアクセント句等の発音単位毎に読みを指定し、音声を発生する際の音声の音程若しくは母音ホルマント、音声の強勢、発声速度、発声強度、又は抑揚等の音韻情報を取得して、音声を発声させるための音韻付文章を生成する処理を行う。音韻付文章の生成が終了すると、情報処理手段９８０が実行する処理は次のＳ２１６「音声情報の生成（音声発声処理）」に進む。
【００９７】
Ｓ２１６にて情報処理手段９８０は、Ｓ２１４にて生成した音韻付文章に基づいて、音声波形を生成するための音声情報を生成する。そして、その音声情報を出力音声処理手段９６６に出力して、スピーカ等の音声出力手段から感情表現付の音声を発声させる処理を行う。
【００９８】
上記実施例１の文章の例では、「キョウ｜チョット｜イイコト／アッ／テ／サァ」という読みで、感情を付加した音声を発声する。感情表現を含む音声は、Ｓ１０６「音声受聴」にて利用者が受聴する。音声発声処理が終了すると、Ｓ２２２「終了」の処理に進み、受信メールの読み上げ処理を終了する。
【００９９】
音声情報の生成は、音声の音程若しくは母音ホルマント、音声の強勢、発声速度、発声強度、又は抑揚等の音韻情報に基づいて、発声する音声の周波数の組み合わせ、音量、及び発音単位の間隔等を調節した音声情報を生成する。音声情報又は音声信号の生成は、全て電子的に合成してもよいし、声優が感情表現を踏まえて発した音声を発音単位毎に分解したものを合成して生成するようにしてもよい。
【０１００】
また、音声情報を生成する際に、感情情報が関連付けられている単語について、そのと感情種類や感情レベル等に応じて、ゆっくり読み上げたり、ピッチや音量を上下させたり声質を変えて読み上げるための音韻情報を音響辞書から取得して、音声情報を生成するようにしてもよい。
【０１０１】
次に、Ｓ２０８「メールの感情情報を取得」の詳細な処理について、図３のフローチャートを用いて説明する。
【０１０２】
図２のＳ２０８に処理が進むと、情報処理手段９８０（受信メッセージ感情情報取得手段２６の機能を含む。）が実行する処理はＳ３０６「一文解析」の処理に進む。
【０１０３】
Ｓ３０６にて情報処理手段９８０は、入力した電子メッセージ情報の文章について解析を行って一文毎に区切る処理を行う。文章の区切りは、一文毎に限定するものではなく、段落毎に区切ってもよいし文節毎、鍵括弧毎、句読点毎に区切るようにしてもよい。一文解析処理が終了すると、情報処理手段９８０が実行する処理は、次のＳ３０８「文章を単語毎に区切る」に進む。
【０１０４】
Ｓ３０８にて情報処理手段９８０（受信メッセージ形態素解析手段及び形態素解析手段２８の機能を含む。）は、文章に対して分かち書き等の処理を行って、文章を単語毎に区切る処理を行う。文章を単語毎に区切る処理が終了すると、情報処理手段９８０が実行する処理は、次のＳ３１０「感情付与」の処理に進む。なお、文章を区切る実施例を図１１（ａ）及び図１１（ｂ）に示し、別途説明することとする。
【０１０５】
Ｓ３１０にて情報処理手段９８０は、区切った各単語を用いて感情辞書２２を参照し、感情情報、読み、アクセント、又は品詞等の単語に関する情報を取得するテキスト解析処理を行う。
【０１０６】
例えば、上記実施例１の文章「今日ちょっといいことあってさ〜（´∀｀）」という受信メールについて感情情報を付与する処理を行うと、「今日（副詞）／ちょっと（副詞）／いいこと（名詞［喜１］）／ある（動詞）／た（助動詞）／さ（助詞）／（´∀｀）（絵文字［喜１］）」という文章が生成される。感情が付与された文章の生成処理が終了すると、情報処理手段９８０が実行する処理は、次のＳ３１２「文章毎に感情情報を取得」に進む。
【０１０７】
Ｓ３１２にて情報処理手段９８０（受信メッセージ感情情報取得手段２６及び返信メッセージ感情情報取得手段３０の機能を含む。）は、感情が付与された文章の各感情情報に基づいて受信メッセージ感情情報、返信メッセージ感情情報又は返信メッセージ文章毎感情情報を生成する処理を行う。
【０１０８】
例えば、実施例１の「今日ちょっといいことあってさ〜（´∀｀）」という文章の場合、「いいこと」という単語について［喜１］という感情情報が関連付けられており、「（´∀｀）」という絵文字についても［喜１］の感情情報が関連付けられている。この文章を自動で読み上げる際に用いる感情情報を定める処理の代表的なものとして、
（１）文章中の各感情情報のうち、最大の感情レベルを有する感情種類とその感情レベルとを文章の感情情報として取得する処理
（２）文章中の各感情レベルを各感情情報毎に加算し、最大の感情レベルを有する感情種類と加算した感情レベルを文章の感情情報として取得する処理
（３）文章中で一番多く用いられている感情種類をその文章の感情情報として取得する処理
（４）文章中の付属語の感情情報を用いて文章の感情情報を取得する処理
（５）前の文章の感情情報を引き継ぐ処理
（６）文章中の各感情情報のうち、出現順が後ろの感情種類とその感情レベルとを文章の感情情報として取得する処理
（７）文章中の各感情情報のうち、前もって設定した優先順位を用い、優先順位の高い感情種類とその感情レベルとを文章の感情情報として取得する処理
等の処理を挙げることができる。
【０１０９】
また、文章中の各感情情報の中から、最大の感情レベル、又は、最大頻度となる一つの感情種類を特定することができない場合には、以下の処理を用いて文章の感情情報を特定することができる。
（８）文章中に出現する感情情報のうち、出現順が後ろの感情種類を文章の感情情報とする処理
（９）文章中の各感情情報のうち優先順位の高い感情種類を文章の感情情報とする処理
（１０）当該文章の前に前文章が存在する場合には、その前文章の感情情報を当該文章の感情情報とする処理
また、文章中の各感情情報の中から、最大の感情レベル又は最大頻度となる一つの感情種類を特定することができない場合には、文章中の単語、文節、句読点間等の単位で区切り、各単位毎に個別の感情種類を付与する処理を行うこともできる。
【０１１０】
ここでは上記（１）の処理を用いて上記実施例１の文章の感情情報を取得する実施例について説明する。実施例１の文章中には、「いいこと」という名詞の感情情報［喜１］、及び、「（´∀｀）」という絵文字の感情情報［喜１］が存在する。したがって、最大の感情レベルを有する感情は［喜］であり、その感情レベルは［１］であるので、文章の感情情報として［喜１］を取得することができる。そして、次のＳ３１４「文章に感情情報なし又は［普通］？」の判断に進む。なお、Ｓ３１２の処理の詳細については、図４に示すフローチャートを用いて別途説明することとする。
【０１１１】
Ｓ３１４にて情報処理手段９８０は、前述のＳ３１２の処理にて一つの感情種類を特定することができたか、又は取得した文章の感情情報が［普通］の感情を表す情報であったか否かの判断を行っている。もし、［普通］」以外の感情情報を取得している場合には、処理はＳ３１６「メールの感情情報を取得」に進み、Ｓ３１２にて取得した感情情報を受信メッセージ感情情報、返信メッセージ感情情報又は返信メッセージ文章毎感情情報に設定する。そして、次のＳ３１８「戻る」に進み、元の処理ルーチンに戻る。
【０１１２】
また、Ｓ３１４にて一つの感情種類を特定することができなかったか、又は取得した文章の感情情報が［普通］の感情を表す情報である場合には、情報処理手段９８０が実行する処理はＳ３２０「段落先頭の文章か？」の判断に進む。
【０１１３】
Ｓ３２０にて情報処理手段９８０は、当該解析中の文章が、段落の先頭の文章であるか否かの判断を行っている。もし、当該解析を行っている文章が段落先頭の文章である場合には、Ｓ３２２「文章の感情情報を［普通］に設定」の処理に進み、当該文章の感情情報として［普通］を取得する処理を行って、Ｓ３１６に進む。
【０１１４】
一方、Ｓ３２０にて、当該解析を行っている文章が段落先頭の文章でないと判断した場合には、Ｓ３２４「前文章と同一の感情情報に設定」の処理に進み、前文章の感情情報を当該文章の感情情報として取得する処理を行って、Ｓ３１６に進む。
【０１１５】
以上のようにして、受信メッセージ感情情報に基づいた音声合成を自動で行って、感情表現を伴う合成音声を用いて受信メールを読み上げることができる。
【０１１６】
次に、Ｓ３１２「文章毎に感情情報を取得」の詳細な処理について、図４のフローチャートを用いて説明する。図４に示すフローチャートは、上記（１）の、「文章中の各感情情報のうち、最大の感情レベルを有する感情種類とその感情レベルとを文章の感情情報として取得する処理」のフローチャートである。
【０１１７】
図３のＳ３１２に処理が進むと、情報処理手段９８０（受信メッセージ感情情報取得手段２６、返信メッセージ感情情報取得手段３０の機能を含む。）が実行する処理はＳ７０２「テキスト解析された各単語に感情レベルが付いた単語があるかチェック」の処理に進む。
【０１１８】
Ｓ７０２にて情報処理手段９８０は、入力した電子メッセージ情報の文章の各単語について感情情報を関連付ける処理を行った結果、文章中に感情レベルが関連付けられている単語があるか否かのチェックを行って、次のＳ７０４「各感情情報で最も高い感情レベルがいくつかチェック」の処理に進む。Ｓ７０４にて情報処理手段は、各感情情報で最も高い感情レベルを取得して、次のＳ７０６「最も高い感情レベルが付いている感情情報を取得」にて、最も高い感情レベルが付されている感情情報を当該文章の感情情報として取得する処理を行う。文章の感情情報の取得処理が終了すると、Ｓ７０８「戻る」に進み、元の処理ルーチンに戻る。
【０１１９】
次に、受信メール（受信メッセージ）に対する返信メール（返信メッセージ）を入力し、その返信メール（返信メッセージ）に自動で感情情報を関連付ける感情付加処理について説明する。
【０１２０】
図５は、受信した電子メールの感情情報又は返信メールの感情情報に対応した返信メール用の送信感情情報を自動で生成して返信メールに関連付けて送信する処理のフローチャートである。
【０１２１】
図５に示す実施形態では、利用者が返信メールを作成する前にＳ４０２「返信メールの感情モード設定」にて、予め返信メールに関連付ける感情情報の様式を定めるための「感情モード」の設定を行う。利用者が返信メールの感情モードを設定する旨の要求を、入力手段９７０を介して感情付加装置９００に指示すると、感情付加装置９００はＳ４１２「返信メールの感情モード設定」にて、表示手段９７２に感情モード設定画面を表示して、利用者による感情モードの設定を待つ処理を行う。
【０１２２】
感情モードを設定する際に、表示手段９７２に表示される表示画面を、図６に示す。利用者は、図６に示す感情モード設定画面を見ながら、返信メッセージ（返信メール）に関連付ける送信感情情報の様式を指示する。
【０１２３】
図６に示す実施形態では、従来の電子メッセージ情報のように返信メッセージに、何も感情情報を関連付けない「感情対応しない」とする従来のモードと、相手から受信した受信メッセージの感情に合わせた感情情報を返信メッセージに関連付けて送信する「第１感情モード」と、こちら側の返信メッセージの感情を優先した感情情報を返信メッセージに関連付けて送信する「第２感情モード」と、受信メッセージ及び返信メッセージの双方の感情を反映させた感情情報を返信メッセージに関連付けて送信する「第３感情モード」とを備えている。
【０１２４】
更に、「第１感情モード」は、相手から受信した受信メッセージの感情を優先した感情情報を返信メッセージに関連付けて送信する「同調モード」と、相手から受信した受信メッセージの感情に対して和らげた感情情報を返信メッセージに関連付けて送信する「温和モード」とを備えている。
【０１２５】
また、「第３感情モード」は、受信メッセージ感情情報及び返信メッセージ感情情報のうち、感情レベルが高い感情情報を返信メッセージに関連付けて送信する「感情レベル優先モード」と、受信メッセージ及び返信メッセージの双方の感情情報の内容に基づいて生成した感情情報を返信メッセージに関連付けて送信する「感情関係モード」とを備えている。
【０１２６】
利用者が、表示手段９７２に表示されている所望の感情モードを選択して「決定」ボタンを選択すると、情報処理手段９８０は選択された感情モードのフラグをセットする。
【０１２７】
次に、Ｓ４０４「返信メールを作成、送信指示」にて利用者は、受信メールに基づいて返信メールの文章を作成して入力手段９７０を介して入力する。そして、返信メールの送信を指示する。
【０１２８】
感情付加装置９００の情報処理手段９８０（返信メッセージ入力手段２７の機能を含む。）は、Ｓ４１４「返信メールを入力」にて、入力手段９７０を介して返信メールの文章を入力して、メッセージ記憶手段２０に記憶する処理を行う。
【０１２９】
返信メールの入力処理が終了すると、情報処理手段９８０（返信メッセージ感情情報取得手段３０の機能を含む。）が実行する処理はＳ４１６「メールの感情情報を取得」の処理に進み、予め単語毎に、喜び、楽しさ、悲しさ、怒り、普通、又は感情強調等の感情情報を関連付けた感情辞書２２を参照して、返信メールの単語毎に感情情報を取得し、その感情情報に基づいて返信メッセージ感情情報を取得する処理を行う。Ｓ４１６の処理は、図３に示した処理と同一であるので、ここでの説明は省略する。返信メッセージ感情情報を取得する処理が終了すると、情報処理手段９８０が実行する処理は次のＳ４１８「返信メールの感情情報を取得したか？」の判断に進む。
【０１３０】
Ｓ４１８にて情報処理手段９８０（感情付返信メッセージ生成手段３２の機能を含む。）は、Ｓ４１８にて何らかの感情情報を取得したか否か、又は取得した感情情報が普通であるか否かの判断を行っている。もし、感情情報を取得していなかった場合又は取得した感情情報が普通である場合には、Ｓ４３２「受信メールの感情情報を付与」に進み、受信メールの感情情報に基づいた送信感情情報を取得する処理を行う。なお、Ｓ４３２の処理の詳細については、図７に示すフローチャートを用いて別途説明することとする。
【０１３１】
Ｓ４３２にて送信感情情報の取得処理が終了すると、Ｓ４３４「メール送信」に進み、所定のアドレスに対して送信感情情報が関連付けられた返信メール（返信メッセージ）を送信し、その後Ｓ４３６「終了」に進み、返信メールに対する感情付加処理を終了する。
【０１３２】
なお、Ｓ４１８にて、感情情報を取得した場合には、Ｓ４２０「ＣＣ：、ＢＣＣ：受信者？」の判断に進む。Ｓ４２０にて情報処理手段９８０（感情付返信メッセージ生成手段３２の機能を含む。）は、受信メールの宛て先がＣＣ：受信者又はＢＣＣ：受信者であったか否かの判断を行っている。
【０１３３】
もし受信メールの宛て先が、ＣＣ：受信者又はＢＣＣ：受信者であった場合には、相手の感情に合わせた返信メッセージ感情情報を送信感情情報として採用するために、Ｓ４３２に分岐して、受信メールの感情情報に基づいた送信感情情報を取得する処理を行う。
【０１３４】
また、受信メールの宛て先が、ＣＣ：受信者又はＢＣＣ：受信者でなく、ＴＯ：受信者であった場合には、次のＳ４２２「相手と同じ感情か？」の判断に進む。
【０１３５】
Ｓ４２２にて情報処理手段９８０（感情付返信メッセージ生成手段３２の機能を含む。）は、受信メッセージ感情情報と返信メッセージ感情情報とが同一の感情情報であるか否かの判断を行っている。もし、受信メッセージ感情情報と返信メッセージ感情情報とが同一の感情情報である場合には、Ｓ４３２に分岐して、受信メールの感情情報に基づいた送信感情情報を取得する処理を行う。
【０１３６】
また、もし受信メッセージ感情情報と返信メッセージ感情情報とが異なっている場合には、次のＳ４２４「相手の感情に合わせるモードか？」の処理に進む。
【０１３７】
Ｓ４２４にて情報処理手段９８０（感情付返信メッセージ生成手段３２の機能を含む。）は、感情モードが受信メールの感情を優先した感情情報を返信メール（返信メッセージ）に関連付けて送信する「第１感情モード」に設定されているか否かの判断を行っている。もし「第１感情モード」に設定されている場合には、Ｓ４３２に分岐し、「第１感情モード」に設定されていない場合には、次のＳ４２６「こちら側の感情を優先するモードか？」の処理に進む。
【０１３８】
Ｓ４２６にて情報処理手段９８０（感情付返信メッセージ生成手段３２の機能を含む。）は、感情モードが、こちら側の返信メッセージの感情を優先した感情情報を返信メッセージに関連付けて送信する「第２感情モード」に設定されているか否かの判断を行っている。もし、「第２感情モード」に設定されている場合には、Ｓ４２８「返信メッセージの感情情報を付与」に分岐して、返信メッセージ感情情報を送信感情情報として取得する処理を行った後にＳ４３４に進む。
【０１３９】
一方、Ｓ４２６にて「第２感情モード」に設定されていないと判断した場合には、Ｓ４３０「双方の感情を反映して返信メールの感情情報を付与」の処理に進む。
【０１４０】
Ｓ４３０にて情報処理手段９８０（感情付返信メッセージ生成手段３２の機能を含む。）は、設定されている感情モードに応じて送信感情情報を取得する処理を行う。なお、Ｓ４３０の処理の詳細については、図９に示すフローチャートを用いて別途説明することとする。Ｓ４３０にて送信感情情報を取得する処理が終了すると、次のＳ４３４の処理に進む。
【０１４１】
次に、Ｓ４３２「受信メールの感情情報を付与」の詳細な処理について、図７のフローチャートを用いて説明する。
【０１４２】
図５のＳ４３２に処理が進むと、情報処理手段９８０（感情付返信メッセージ生成手段３２の機能を含む。）が実行する処理はＳ５０２「温和モードが設定されているか？」の判断に進む。
【０１４３】
Ｓ５０２の判断にて、感情モードが温和モードに設定されていないと判断した場合には、Ｓ５０４「受信メールに同調した感情情報を返信メールに付与」の処理に進む。また、もし感情モードが温和モードに設定されていると判断した場合には、Ｓ５０８「温和モードで感情情報を返信メールに付与」の処理に分岐する。
【０１４４】
Ｓ５０４にて情報処理手段９８０は、感情モードを「同調モード」とし、受信メッセージ感情情報と送信感情情報とを関連付けた同調モード用感情情報記憶手段を参照して、受信メッセージ感情情報と関連する送信感情情報を取得して、返信メールと送信感情情報とを関連付けた感情付返信メッセージを生成する処理を行う。
【０１４５】
図８に、受信メッセージ感情情報と送信感情情報とを関連付けた温和モード用感情情報記憶手段及び同調モード用感情情報記憶手段の実施形態を示す。
【０１４６】
感情モードが「温和モード」に設定されていない場合には「同調モード」を採用して同調モード用感情情報記憶手段を参照する。そして図８に示すように、受信メッセージ感情情報が［喜］である場合には同一の感情情報［喜］を送信感情情報として取得し、受信メッセージ感情情報が［悲］である場合には同一の感情情報［悲］を送信感情情報として取得し、受信メッセージ感情情報が［怒］である場合には同一の感情情報［怒］を送信感情情報として取得する。Ｓ５０４にて送信感情情報の付与が終了すると、Ｓ５０６「戻る」に進み、元の処理ルーチンに戻る。
【０１４７】
一方、感情モードが「温和モード」に設定されている場合には図８に示す温和モード用感情情報記憶手段を参照して、受信メッセージ感情情報が［喜］である場合には同一の感情情報［喜］を送信感情情報として取得し、受信メッセージ感情情報が［悲］又は［怒］である場合には、和らげた楽しい感情を表す［楽］を送信感情情報として取得することができる。Ｓ５０８にて送信感情情報の付与が終了すると、Ｓ５０６「戻る」に進み、元の処理ルーチンに戻る。
【０１４８】
次に、Ｓ４３０「双方の感情情報を反映して返信メールの感情情報を付与」の詳細な処理について、図９のフローチャートを用いて説明する。
【０１４９】
図２のＳ４３０に処理が進むと、情報処理手段９８０（感情付返信メッセージ生成手段３２の機能を含む。）が実行する処理はＳ６０２「感情レベルの高いメールの感情情報を優先するモードか？」の処理に進む。
【０１５０】
Ｓ６０２にて情報処理手段９８０は、感情モードが「感情レベル優先モード」に設定されているか否かの判断を行う。もし、「感情レベル優先モード」に設定されていると判断
した場合には、Ｓ６０４「受信メールと返信メールの感情レベルを比較」及びＳ６０６「感情レベルが同じか？」の処理に進み、もし「感情レベル優先モード」に設定されていない場合には、Ｓ６１２「感情関係モードで感情情報を返信メールに付与」の処理に分岐する。
【０１５１】
Ｓ６０４にて情報処理手段は、受信メッセージ感情情報と返信メッセージ感情情報の感情レベルを比較して、両者の感情レベルが同じであるか否かの判断を行う。もし、両者の感情レベルが同じである場合には、Ｓ６１２の処理に分岐し、両者の感情レベルが異なる場合にはＳ６０８「相対的に感情レベルが高い感情情報を返信メールに付与」の処理に進む。
【０１５２】
Ｓ６０８にて情報処理手段９８０は、受信メッセージ感情情報と返信メッセージ感情情報の感情情報のうち、感情レベルが高い値を示している感情情報を取得して、送信感情情報に設定する処理を行う。送信感情情報の設定処理が終了すると、Ｓ６１０「戻る」に進み、もとの処理ルーチンに戻る。
【０１５３】
一方、Ｓ６１２にて情報処理手段は、感情モードが「感情レベル優先モード」に設定されていないことを受けて「感情関係モード」を採用し、感情関係記憶手段を参照して送信感情情報を取得する処理を行う。感情関係記憶手段は、受信メッセージ感情情報と返信メッセージ感情情報と送信感情情報とを関連付けたマトリクスである。
【０１５４】
図１０に、受信メッセージ感情情報と返信メッセージ感情情報と送信感情情報とを関連付けた感情関係記憶手段の実施形態を示す。
【０１５５】
感情モードが「感情関係モード」に設定されているときには、例えば図１０に示す感情情報記憶手段を参照して、受信メッセージ感情情報及び返信メッセージ感情情報に基づいて送信感情情報を決定する。
【０１５６】
例えば、受信メッセージ感情情報が［喜］であって返信メッセージの感情情報が［悲］であった場合には、両者のメッセージの文章には相反する感情を含んでいることになるので、送信感情情報として両者の中間の感情情報［普通］を取得して返信メッセージ（返信メール）と関連付ける処理を行う。
【０１５７】
また、受信メッセージ感情情報が［喜］であって返信メッセージ（返信メール）の感情情報が［怒］であった場合には、返信メッセージ（返信メール）の［怒］の感情情報を送信感情情報として取得する。以下同様に、受信メッセージ感情情報が［怒］であって返信メッセージ（返信メール）の感情情報が［喜］であった場合には中間の［普通］を送信感情情報として取得し、受信メッセージ感情情報が［怒］であって返信メッセージ（返信メール）の感情情報が［悲］であった場合には返信メッセージ（返信メール）の［悲］を送信感情情報として取得し、受信メッセージ感情情報が［悲］であって返信メッセージ（返信メール）の感情情報が［喜］であった場合には中間の［普通］を送信感情情報として取得し、受信メッセージ感情情報が［悲］であって返信メッセージ（返信メール）の感情情報が［怒］であった場合には受信メッセージ（返信メール）の［悲］の感情情報を送信感情情報として取得する処理を行う。
【０１５８】
Ｓ６１２にて感情関係モードでの送信感情情報の付与が終了すると、Ｓ６１０の処理に進み、元の処理ルーチンに戻る。
【０１５９】
このようにして、電子メッセージ情報（上記の実施例では電子メール。）を送信した相手の感情と返信メッセージ（上記の実施例では返信メール。）を作成したこちら側の感情とを取り入れた感情情報を決定して、感情情報が関連付けられた返信メッセージ（上記の実施例では返信メール）を送信することが可能となる。
【０１６０】
次に、受信メール及び返信メールの例文と、その例文を単語毎に区切った状態と、参照する単語辞書及び感情辞書２２の内容について、図１１（ａ）及び図１１（ｂ）を用いて説明する。
【０１６１】
図１１（ａ）及び図１１（ｂ）は、感情を付与する文章例と、単語辞書を用いてその文章を区切った状態を示す図表である。
【０１６２】
感情付加装置９００が、入力した電子メール、ショートメッセージ、チャット、ブログ等の電子メッセージ情報の文章について、図３のＳ３０８「文章を単語毎に区切る」に示した処理を実行すると、図１１（ａ）及び図１１（ｂ）に示す解析結果を得ることができる。そして、図３のＳ３１０「感情付与」の処理で単語辞書及び感情辞書２２を参照して、感情情報が付与された文章の生成処理を行う。
【０１６３】
図１１（ａ）及び図１１（ｂ）に示す感情辞書２２には、辞書見出しと、［楽］、［喜］、［悲］、［怒］又は［普通］等の感情種類と、その辞書見出しの感情の強さを表す［１］〜［５］の感情レベルとが関連付けられている。
【０１６４】
例えば、図１１（ａ）及び図１１（ｂ）に示す感情辞書２２には、「いいこと」という辞書見出しの単語が登録されている。この単語は「喜び」を表現するものと定めることができるので、「喜び」を表現する単語であることを示す記号「喜」を感情種類として辞書見出しと関連付けて記憶している。また、単語「いいこと」は、その「喜び」の感情表現の中でも、感情のレベルが比較的低い表現と認められるため、感情レベルとして［１］を与え、［喜１］という感情情報を辞書見出しと関連付けて記憶している。
【０１６５】
同様に、「（´∀｀）」という絵文字には［喜１］という感情情報を、また「風邪を引く」という辞書見出しには悲しさを表す［悲２］という感情情報を、また「だるい」という辞書見出しには悲しさを表す［悲１］という感情情報を、また「足を踏まれる」という辞書見出しには怒りを表す［怒３］という感情情報を、また「遅れる」という辞書見出しには怒りを表す［怒２］という感情情報を、「（｀Д´）/」という絵文字には［怒３］という感情情報を、それぞれ関連付けて記憶している。
【０１６６】
次に、受信メール（受信メッセージの一形態）及び返信メール（返信メッセージの一形態）の文章と、その文章を用いて決定する送信感情情報の具体的実施例とを、図１２（ａ）及び図１２（ｂ）を用いて説明する。
【０１６７】
図１２（ａ）に示す実施例２は、「今日ちょっといいことあってさ〜（´∀｀）」という電子メッセージ情報を受信した場合の実施例である。この受信メールについて、（１）「文章中の各感情情報のうち、最大の感情レベルを有する感情種類とその感情レベルとを文章の感情情報として取得する処理」（図３に示したＳ３１２の処理。以下の実施例では、全てこの（１）の処理を用いて文章の感情情報を取得する実施形態で説明する。）を実行すると、最大の感情レベル［喜１］から、受信メッセージ感情情報として、感情種類［喜］とその感情レベル［１］を取得する。
【０１６８】
この、「今日ちょっといいことあってさ〜（´∀｀）」という受信メールに対して、利用者が「へ〜、そうなんだ、何があったの？」という返信メールを作成して入力した場合について説明する。
【０１６９】
この返信メールを構成する各単語には、図１１（ａ）に示す感情辞書を参照しても［楽］、［喜］、［悲］、又は［怒］等の感情情報が関連付けられていないので、［普通］の返信メッセージ感情情報を取得する（図３のＳ３２２の処理参照。）。
【０１７０】
受信メッセージ感情情報が［喜１］であって、返信メッセージ感情情報が［普通］の場合には、設定されている感情モードに応じて以下の送信感情情報を取得することができる。
【０１７１】
［感情モードが同調モードに設定されている場合］
この場合には、図８に示した「同調モード、温和モード対応表」より、返信メッセージ感情情報の如何に関わらず送信感情情報として［喜］を取得する（図５のＳ４１８：Ｎｏ並びにＳ４３２の処理、及び図７のＳ５０２：Ｎｏ並びにＳ５０４の処理参照。）。
【０１７２】
［感情モードが温和モードに設定されている場合］
この場合には、図８に示した「同調モード、温和モード対応表」より、返信メッセージ感情情報の如何に関わらず送信感情情報として［喜］を取得する（図５のＳ４１８：Ｎｏ並びにＳ４３２の処理、及び図７のＳ５０２：Ｙｅｓ並びにＳ５０８の処理参照。）。
【０１７３】
［感情モードがこちら側の感情を優先するモード（第２感情モード）に設定されている場合］
このモードに設定されている場合であっても、図５に示したＳ４１８：Ｎｏの処理にてＳ４３２に分岐するので、同調モード又は温和モードの設定に従った送信感情情報を取得する。
【０１７４】
［感情モードが感情レベル優先モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０１７５】
［感情モードが感情関係モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０１７６】
次に、「今日ちょっといいことあってさ〜（´∀｀）」という受信メールに対して、利用者が「いいなぁ、私は風邪引いちゃってなんかだるくて」という返信メールを作成して入力した場合について説明する。
【０１７７】
この返信メールを構成する各単語には、図１１（ａ）に示す感情辞書を参照して「風邪を引く」という単語について［悲２］の感情情報を、「だるい」という単語について［悲１］の感情情報を取得し（図３のＳ３１０の処理参照。）、感情種類が［悲］であって感情レベルが［２］の［悲２］の返信メッセージ感情情報を取得する。
【０１７８】
受信メッセージ感情情報が［喜１］であって、返信メッセージ感情情報が［悲２］の場合には、設定されている感情モードに応じて以下の送信感情情報を取得することができる。
【０１７９】
［感情モードが同調モードに設定されている場合］
この場合には、図８に示した「同調モード、温和モード対応表」より、返信メッセージ感情情報の如何に関わらず送信感情情報として［喜］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０１８０】
［感情モードが温和モードに設定されている場合］
この場合には、図８に示した「同調モード、温和モード対応表」より、返信メッセージ感情情報の如何に関わらず送信感情情報として［喜］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０１８１】
［感情モードがこちら側の感情を優先するモード（第２感情モード）に設定されている場合］
この場合には、受信メッセージ感情情報の如何に関わらず送信感情情報として返信メッセージ感情情報の［悲］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０１８２】
［感情モードが感情レベル優先モードに設定されている場合］
この場合には、受信メッセージ感情情報［喜１］と返信メッセージ感情情報［悲２］との感情レベルを比較して、感情レベルが高い［悲］を送信感情情報として取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｎｏ、並びにＳ６０８の処理参照。）。
【０１８３】
［感情モードが感情関係モードに設定されている場合］
この場合には、図１０に示した「感情関係マトリクス」より、受信メールの感情情報及び返信メッセージ感情情報に基づいて［普通］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０１８４】
次に、「今日ちょっといいことあってさ〜（´∀｀）」という受信メールに対して、利用者が「それより聞いてよ！電車で足踏まれたんだよ〜！」という返信メールを作成して入力した場合について説明する。
【０１８５】
この返信メールを構成する各単語には、図１１（ａ）に示す感情辞書を参照して「足を踏まれる」という単語について［怒３］の感情情報を取得し（図３のＳ３１０の処理参照。）、感情種類が［怒］であって感情レベルが［３］の［怒３］の返信メッセージ感情情報を取得する。
【０１８６】
受信メッセージ感情情報が［喜１］であって、返信メッセージ感情情報が［怒３］の場合には、設定されている感情モードに応じて以下の送信感情情報を取得することができる。
【０１８７】
［感情モードが同調モードに設定されている場合］
この場合には、図８に示した「同調モード、温和モード対応表」より、返信メッセージ感情情報の如何に関わらず送信感情情報として［喜］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０１８８】
［感情モードが温和モードに設定されている場合］
この場合には、図８に示した「同調モード、温和モード対応表」より、返信メッセージ感情情報の如何に関わらず送信感情情報として［喜］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０１８９】
［感情モードがこちら側の感情を優先するモード（第２感情モード）に設定されている場合］
この場合には、受信メッセージ感情情報の如何に関わらず送信感情情報として返信メッセージ感情情報の［怒］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０１９０】
［感情モードが感情レベル優先モードに設定されている場合］
この場合には、受信メッセージ感情情報［喜１］と返信メッセージ感情情報［怒３］との感情レベルを比較して、感情レベルが高い［怒］を送信感情情報として取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｎｏ、並びにＳ６０８の処理参照。）。
【０１９１】
［感情モードが感情関係モードに設定されている場合］
この場合には、図１０に示した「感情関係マトリクス」より、受信メッセージの感情情報及び返信メッセージ感情情報に基づいて［怒］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０１９２】
次に、図１２（ａ）に示す実施例３の文章について説明する。図１２（ａ）に示す実施例３は、「待ち合わせに遅れ過ぎー！（｀Д´）/」という電子メールを受信した場合の実施例である。この受信メールについて、（１）「文章中の各感情情報のうち、最大の感情レベルを有する感情種類とその感情レベルとを文章の感情情報として取得する処理」（図２に示したＳ３１２の処理。）を実行すると、図１１（ａ）及び図１１（ｂ）に示す感情辞書を参照して「遅れる」という単語について［怒２］の感情情報を、「（｀Д´）/」という絵文字について［怒３］の感情情報を取得し（図３のＳ３１０の処理参照。）、感情種類が［怒］であって感情レベルが［３］の［怒３］の受信メッセージ感情情報を取得する。
【０１９３】
この、「待ち合わせに遅れ過ぎー！（｀Д´）/」という受信メールに対して、利用者が「あともうちょっと待ってて〜」という返信メールを作成して入力した場合について説明する。
【０１９４】
この返信メールを構成する各単語には、図１１（ａ）に示す感情辞書を参照しても［楽］、［喜］、［悲］、又は［怒］等の感情情報が関連付けられていないので、［普通］の返信メッセージ感情情報を取得する（図３のＳ３２２の処理参照。）。
【０１９５】
受信メッセージ感情情報が［怒３］であって、返信メッセージ感情情報が［普通］の場合には、設定されている感情モードに応じて以下の送信感情情報を取得することができる。
【０１９６】
［感情モードが同調モードに設定されている場合］
この場合には、図８に示した「同調モード、温和モード対応表」より、返信メッセージ感情情報の如何に関わらず送信感情情報として［怒］を取得する（図５のＳ４１８：Ｎｏ並びにＳ４３２の処理、及び図７のＳ５０２：Ｎｏ並びにＳ５０４の処理参照。）。
【０１９７】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｎｏ並びにＳ４３２の処理、及び図７のＳ５０２：Ｙｅｓ並びにＳ５０８の処理参照。）。
【０１９８】
［感情モードがこちら側の感情を優先するモード（第２感情モード）に設定されている場合］
このモードに設定されている場合であっても、図５に示したＳ４１８：Ｎｏの処理にてＳ４３２に分岐するので、同調モード又は温和モードの設定に従った送信感情情報を取得する。
【０１９９】
［感情モードが感情レベル優先モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０２００】
［感情モードが感情関係モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０２０１】
次に、「待ち合わせに遅れ過ぎー！（｀Д´）/」という受信メールに対して、利用者が「途中で買ったアイスが当たった！やったね〜！」という返信メールを作成して入力した場合について説明する。
【０２０２】
この返信メールを構成する各単語には、図１１（ｂ）に示す感情辞書を参照して「当たる」という単語について［喜１］の感情情報を、「やったね」という単語について［喜２］の感情情報を取得し（図３のＳ３１０の処理参照。）、感情種類が［喜］であって感情レベルが［２］の［喜２］の返信メッセージ感情情報を取得する。
【０２０３】
受信メッセージ感情情報が［怒３］であって、返信メッセージ感情情報が［喜２］の場合には、設定されている感情モードに応じて以下の送信感情情報を取得することができる。
【０２０４】
［感情モードが同調モードに設定されている場合］
この場合には、図８に示した「同調モード、温和モード対応表」より、返信メッセージ感情情報の如何に関わらず送信感情情報として［怒］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０２０５】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０２０６】
［感情モードがこちら側の感情を優先するモード（第２感情モード）に設定されている場合］
この場合には、受信メッセージ感情情報の如何に関わらず送信感情情報として返信メッセージ感情情報の［喜］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０２０７】
［感情モードが感情レベル優先モードに設定されている場合］
この場合には、受信メッセージ感情情報［怒３］と返信メッセージ感情情報［喜２］との感情レベルを比較して、感情レベルが高い［怒］を送信感情情報として取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｎｏ、並びにＳ６０８の処理参照。）。
【０２０８】
［感情モードが感情関係モードに設定されている場合］
この場合には、図１０に示した「感情関係マトリクス」より、受信メールの感情情報及び返信メッセージ感情情報に基づいて［普通］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０２０９】
次に、「待ち合わせに遅れ過ぎー！（｀Д´）/」という受信メールに対して、利用者が「まだかかりそう、ごめんね。」という返信メールを作成して入力した場合について説明する。
【０２１０】
この返信メールを構成する各単語には、図１１（ｂ）に示す感情辞書を参照して「ごめんなさい」という単語について［悲３］の感情情報を取得し（図３のＳ３１０の処理参照。）、感情種類が［悲］であって感情レベルが［３］の［悲３］の返信メッセージ感情情報を取得する。
【０２１１】
受信メッセージ感情情報が［怒３］であって、返信メッセージ感情情報が［悲３］の場合には、設定されている感情モードに応じて以下の送信感情情報を取得することができる。
【０２１２】
［感情モードが同調モードに設定されている場合］
この場合には、図８に示した「同調モード、温和モード対応表」より、返信メッセージ感情情報の如何に関わらず送信感情情報として［怒］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０２１３】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０２１４】
［感情モードがこちら側の感情を優先するモード（第２感情モード）に設定されている場合］
この場合には、受信メッセージ感情情報の如何に関わらず送信感情情報として返信メッセージ感情情報の［悲］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０２１５】
［感情モードが感情レベル優先モードに設定されている場合］
この場合には、受信メッセージ感情情報［怒３］と返信メッセージ感情情報［悲３］との感情レベルを比較しても、両者の感情レベルはともに［３］なので、図９に示すＳ６０６の判断にてＳ６１２に分岐し、図１０に示した「感情関係マトリクス」より、受信メールの感情情報及び返信メッセージ感情情報に基づいて［悲］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｙｅｓ、並びにＳ６１２の処理参照。）。
【０２１６】
［感情モードが感情関係モードに設定されている場合］
この場合には、図１０に示した「感情関係マトリクス」より、受信メールの感情情報及び返信メッセージ感情情報に基づいて［悲］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０２１７】
次に、図１２（ｂ）に示す実施例４の文章について説明する。図１２（ｂ）に示す実施例４は、「本当に飼い犬に手をかまれた〜！すっごくショック…。」という電子メッセージ情報を受信した場合の実施例である。この受信メールについて、（１）「文章中の各感情情報のうち、最大の感情レベルを有する感情種類とその感情レベルとを文章の感情情報として取得する処理」（図３に示したＳ３１２の処理。）を実行すると、図１１（ｂ）に示す感情辞書を参照して「咬まれる」という単語について［怒２］の感情情報を、「ショックだ」という単語について［悲４］の感情情報を取得し（図３のＳ３１０の処理参照。）、感情種類が［悲］であって感情レベルが［４］の［悲４］の受信メッセージ感情情報を取得する。
【０２１８】
この、「本当に飼い犬に手をかまれた〜！すっごくショック…。」という受信メールに対して、利用者が「え〜っ、大丈夫なの〜？」という返信メールを作成して入力した場合について説明する。
【０２１９】
この返信メールを構成する各単語には、図１１（ｂ）に示す感情辞書を参照しても［楽］、［喜］、［悲］、又は［怒］等の感情情報が関連付けられていないので、［普通］の返信メッセージ感情情報を取得する（図３のＳ３２２の処理参照。）。
【０２２０】
受信メッセージ感情情報が［悲４］であって、返信メッセージ感情情報が［普通］の場合には、設定されている感情モードに応じて以下の送信感情情報を取得することができる。
【０２２１】
［感情モードが同調モードに設定されている場合］
この場合には、図８に示した「同調モード、温和モード対応表」より、返信メッセージ感情情報の如何に関わらず送信感情情報として［悲］を取得する（図５のＳ４１８：Ｎｏ並びにＳ４３２の処理、及び図７のＳ５０２：Ｎｏ並びにＳ５０４の処理参照。）。
【０２２２】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｎｏ並びにＳ４３２の処理、及び図７のＳ５０２：Ｙｅｓ並びにＳ５０８の処理参照。）。
【０２２３】
［感情モードがこちら側の感情を優先するモード（第２感情モード）に設定されている場合］
このモードに設定されている場合であっても、図５に示したＳ４１８：Ｎｏの処理にてＳ４３２に分岐するので、同調モード又は温和モードの設定に従った送信感情情報を取得する。
【０２２４】
［感情モードが感情レベル優先モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０２２５】
［感情モードが感情関係モードに設定されている場合］
このモードに設定されている場合であっても、図５に示したＳ４１８：Ｎｏの処理にてＳ４３２に分岐するので、同調モード又は温和モードの設定に従った送信感情情報を取得する。
【０２２６】
次に、「本当に飼い犬に手をかまれた〜！すっごくショック…。」という受信メールに対して、利用者が「なんか冗談みたいだね〜、ちょっと笑えた」という返信メールを作成して入力した場合について説明する。
【０２２７】
この返信メールを構成する各単語には、図１１（ｂ）に示す感情辞書を参照して「笑える」という単語について［喜１］の感情情報を取得し（図３のＳ３１０の処理参照。）、感情種類が［喜］であって感情レベルが［１］の［喜１］の返信メッセージ感情情報を取得する。
【０２２８】
受信メッセージ感情情報が［悲４］であって、返信メッセージ感情情報が［喜１］の場合には、設定されている感情モードに応じて以下の送信感情情報を取得することができる。
【０２２９】
［感情モードが同調モードに設定されている場合］
この場合には、図８に示した「同調モード、温和モード対応表」より、返信メッセージ感情情報の如何に関わらず送信感情情報として［悲］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０２３０】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０２３１】
［感情モードがこちら側の感情を優先するモード（第２感情モード）に設定されている場合］
この場合には、受信メッセージ感情情報の如何に関わらず送信感情情報として返信メッセージ感情情報の［喜］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０２３２】
［感情モードが感情レベル優先モードに設定されている場合］
この場合には、受信メッセージ感情情報［悲４］と返信メッセージ感情情報［喜１］との感情レベルを比較して、感情レベルが高い［悲］を送信感情情報として取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｎｏ、並びにＳ６０８の処理参照。）。
【０２３３】
［感情モードが感情関係モードに設定されている場合］
この場合には、図１０に示した「感情関係マトリクス」より、受信メールの感情情報及び返信メッセージ感情情報に基づいて［普通］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０２３４】
次に、「本当に飼い犬に手をかまれた〜！すっごくショック…。」という受信メールに対して、利用者が「あんなに可愛がってたのにひどい犬だねぇ（怒）」という返信メールを作成して入力した場合について説明する。
【０２３５】
この返信メールを構成する各単語には、図１１（ｂ）に示す感情辞書を参照して「ひどい」という単語について［悲２］の感情情報と、「(怒）」という単語について［怒５］を取得し、（図３のＳ３１０の処理参照。）、感情種類が［怒］であって感情レベルが［５］の［怒５］の返信メッセージ感情情報を取得する。
【０２３６】
受信メッセージ感情情報が［悲４］であって、返信メッセージ感情情報が［怒５］の場合には、設定されている感情モードに応じて以下の送信感情情報を取得することができる。
【０２３７】
［感情モードが同調モードに設定されている場合］
この場合には、図８に示した「同調モード、温和モード対応表」より、返信メッセージ感情情報の如何に関わらず送信感情情報として［悲］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び図７のＳ５０２：Ｎｏ並びにＳ５０４の処理参照。）。
【０２３８】
［感情モードが温和モードに設定されている場合］
この場合には、図８に示した「同調モード、温和モード対応表」より、返信メッセージ感情情報の如何に関わらず送信感情情報として［楽］を取得する（図５のＳ４１８：Ｙｅｓ、Ｓ４２０：Ｎｏ、Ｓ４２２：Ｎｏ、Ｓ４２４：Ｙｅｓ、並びにＳ４３２の処理、及び、図７のＳ５０２：Ｙｅｓ並びにＳ５０８の処理参照。）。
【０２３９】
［感情モードがこちら側の感情を優先するモード（第２感情モード）に設定されている場合］
この場合には、受信メッセージ感情情報の如何に関わらず送信感情情報として返信メッセージ感情情報の［怒］を取得する（図５のＳ４１８：Ｙｅｓ、Ｓ４２０：Ｎｏ、Ｓ４２２：Ｎｏ、Ｓ４２４：Ｎｏ、Ｓ４２６：Ｙｅｓ並びにＳ４２８の処理参照。）。
【０２４０】
［感情モードが感情レベル優先モードに設定されている場合］
この場合には、受信メッセージ感情情報［悲４］と返信メッセージ感情情報［怒５］との感情レベルを比較して、感情レベルが高い［怒］を送信感情情報として取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び、図９のＳ６０２：Ｙｅｓ、Ｓ６０４、Ｓ６０６：Ｎｏ、並びにＳ６０８の処理参照。）。
【０２４１】
［感情モードが感情関係モードに設定されている場合］
この場合には、図１０に示した「感情関係マトリクス」より、受信メールの感情情報及び返信メッセージ感情情報に基づいて［悲］を取得する（図５のＳ４１８：Ｙｅｓ、Ｓ４２０：Ｎｏ、Ｓ４２２：Ｎｏ、Ｓ４２４：Ｎｏ、Ｓ４２６：Ｎｏ並びにＳ４３０、及び図９に示すＳ６０２：Ｎｏ並びにＳ６１２の処理参照。）。
【０２４２】
以上のようにして、利用者が設定した感情モードと、受信した電子メッセージ情報（上記の実施例では電子メール）の内容と、その受信した電子メッセージ情報に対応した返信メッセージ（上記の実施例では返信メール）の内容に応じて、返信メッセージ（上記の実施例では返信メール）を送信する際に関連付ける送信感情情報を決定することが可能となる。そして、この電子メッセージ情報（上記の実施例では電子メール）を受信した相手側の端末装置は、感情表現を伴う電子メッセージ情報（上記の実施例では電子メール）を自動で読み上げ、相手側の利用者は感情表現を伴う音声で電子メッセージ情報（上記の実施例では電子メール）を受聴することができる。
【０２４３】
次に、情報処理手段９８０（返信メッセージ感情情報取得手段３０及び受信メッセージ感情情報取得手段２６の機能を含む。）が参照して感情情報を取得する感情辞書２２の構成について説明する。
【０２４４】
図１３は、自立語の単語と感情情報とを関連付けた自立語の感情辞書２２の構成を示す図表であり、図１４は、付属語の単語と感情情報とを関連付けた付属語の感情辞書２２の構成を示す図表である。
【０２４５】
図１３及び図１４に示す例では、自立語の感情辞書と付属語の感情辞書とを分けた実施形態で説明しているが、文章中の自立語と文章中の付属語との間で優先順位を定めない場合には、自立語の感情辞書と付属語の感情辞書とを分けずに併合した一つの感情辞書を用いるようにしてもよい。
【０２４６】
図１３及び図１４に示すように、感情辞書２２は、文章を区切った各単語の感情情報等を検索する際の辞書見出しと、辞書見出しに対応する単語の感情種類及び単語の感情レベルとから構成される単語の感情情報と、文章の感情を強調する際に用いる感情強調情報と、単語を自動で読み上げる際に用いる単語の読みと、単語を時自動で読み上げる際に用いるアクセントの情報と、主な品詞とをそれぞれ関連付けて記憶している。
【０２４７】
例えば図１３に示す感情辞書２２には、「あの野郎」という辞書見出しの単語が登録されている。この単語は「怒り」を表現するものと定めることができるので、「怒り」を表現する感情であることを示す記号［怒］を感情種類として辞書見出しと関連付けて記憶している。また、単語「あの野郎」は、その「怒り」の感情表現の中でも、感情のレベルが高い表現と認められるため、感情レベルとして「２」を与え、［怒２］という感情情報を辞書見出しと関連付けて記憶している。
【０２４８】
また、「いちばん」という辞書見出しの単語の場合には、その単語に特段の感情が含まれるとは認められないので、特に感情種類は関連付けていない。しかし、この「いちばん」という副詞は、他の単語を強調する表現であると認められるので、対応する他の単語の感情レベルを２つ上げるための［＋２］という感情強調情報を辞書見出しと関連付けて記憶している。この「いちばん」という単語の例では、対応する他の単語の感情レベルに「２」を加算する実施形態を用いているが、他の単語の感情レベルに乗算する値を用いて感情表現を強調するようにしてもよい。
【０２４９】
例えば、「いちばん美しい」という文章があった場合に、「いちばん」という単語の感情強調情報［＋２］と、「美し」という単語の感情種類と感情レベル［楽１］（図１３参照）とに基づいて、［楽３］の感情情報を取得することができる。
【０２５０】
また、「いったい」という辞書見出しの単語の場合には、対応する単語に応じて感情強調情報を変更することが可能な構成としている。例えば、「いったい」に対応する単語として、後ろ３文節以内に「何、どこ、いくつ」の単語が存在する場合には、感情強調情報として［＋２］を採用し、存在しない場合には［＋１］を感情強調情報として採用する旨の指示を辞書見出しと関連付けて記憶している。
【０２５１】
また、図１４に示す付属語の感情辞書２２には、「！」という辞書見出しの記号が登録されている。この記号は特定の感情を表現しているとは認められないので、感情種類は関連付けずに、文章全体の感情レベルを１つ上げるための［＋１］という感情強調情報を辞書見出しと関連付けて記憶している。この「！」の記号は、文章の感情レベルに「１」を加算する実施形態を用いているが、文章の感情レベルに乗算する値を用いて感情表現を強調するようにしてもよい。
【０２５２】
また、文章の語尾が、「ーい」という単語の場合には、その単語は「喜び」を表現する形容詞活用語尾と定めることができるので、「喜び」を表現する感情であることを示す記号［喜］を感情種類として辞書見出しと関連付けて記憶している。また、文章の語尾に「ーい」が用いられている場合には、「喜び」の感情表現の中でも、感情のレベルが低い表現と認められるため、感情レベルとして「１」を与え、［喜１］という感情情報を辞書見出しと関連付けて記憶している。
【０２５３】
また、文章の語尾が、「い」という単語の場合、その形容詞活用語尾の単語に特段の感情が含まれるとは認められないので、感情情報として「普通」の感情を表す［普通］を辞書見出しと関連付けて記憶している。
【０２５４】
また、文章の語尾が、「てるんだ」という複合動詞語尾の場合には、対応する単語に応じて強調情報を変更することが可能な構成としている。例えば、「てるんだ」に対応する単語として、前３文節以内に「何、どこ、いくつ」の単語が存在する場合には、感情情報として強めの「怒り」を表す［怒２］を採用し、存在しない場合には好意的又は喜びを表す［喜１］の感情情報を採用する旨の指示を辞書見出しと関連付けて記憶している。
【０２５５】
例えば、「いったい何だと思ってるんだ」という文章があった場合には、「いったい」という単語について［＊＋２］の感情強調情報を採用し、「何」という単語の感情強調情報［＋１］と、「てるんだ」という単語の［＊怒２］の感情強調情報を採用して、［怒５］という感情情報を得ることができる。
【０２５６】
また、図１３及び図１４に示すように、［喜］〜［普通］の各感情種類には、感情レベルが付加されている。図１３及び図１４に示す例では、感情レベル［０］が、その単語の表現する感情レベルが最も弱いレベルであることを表し、感情レベル［５］が、その単語の表現する感情レベルが最も強いレベルであることを表している。なお、単語の表現する感情が［普通］の場合には、その［普通］の感情レベルには差がないと認められるので、感情レベルは付与していない。
【０２５７】
このようにして、文章中の各単語に感情情報を関連付けることが可能となる。
【図面の簡単な説明】
【０２５８】
【図１】本発明の実施の形態に係る感情付加装置９００の信号処理系ブロックの構成を示す図である。
【図２】受信した電子メール中の単語に感情情報を関連付け、その感情情報に基づいて表現された音声を自動で発生させる処理のフローチャートである。
【図３】メールの感情情報を取得する処理のフローチャートである。
【図４】文章中の各感情情報のうち最大の感情レベルを用いて文章感情情報を取得する処理のフローチャートである。
【図５】返信メール用の送信感情情報を生成して返信メールに関連付けて送信する処理のフローチャートである。
【図６】感情モードを設定する際の設定画面を示す図である。
【図７】同調モード又は温和モードに設定されている場合に送信感情情報を取得する処理のフローチャートである。
【図８】温和モード用感情情報記憶手段及び同調モード用感情情報記憶手段の実施形態を示図表である。
【図９】双方の感情情報を反映して返信メールの感情情報を付与する処理のフローチャートである。
【図１０】受信メッセージ感情情報と返信メッセージ感情情報と送信感情情報とを関連付けた感情関係記憶手段の実施形態を示す図表である。
【図１１（ａ）】感情を付与する文章例と単語辞書を用いてその文章を区切った状態を示す図表である。
【図１１（ｂ）】感情を付与する文章例と単語辞書を用いてその文章を区切った状態を示す図表である。
【図１２（ａ）】受信メール及び返信メールの文章と、その文章を用いて決定する送信感情情報の具体的実施例とを示す図表である。
【図１２（ｂ）】受信メール及び返信メールの文章と、その文章を用いて決定する送信感情情報の具体的実施例とを示す図表である。
【図１３】自立語の単語と感情情報とを関連付けた自立語の感情辞書２２の構成を示す図表である。
【図１４】付属語の単語と感情情報とを関連付けた付属語の感情辞書２２の構成を示す図表である。
【符号の説明】
【０２５９】
１０  インターネット
２０  メッセージ記憶手段
２２  感情辞書
２４  音響辞書
２６  受信メッセージ感情情報取得手段
２７  返信メッセージ入力手段
２８  形態素解析手段
３０  返信メッセージ感情情報取得手段
３２  感情付返信メッセージ生成手段
９００  感情付加装置
９６０  アンテナ
９６１  無線送受信手段
９６２  有線送受信手段
９６５  音声出力手段
９６６  出力音声処理手段
９７０  入力手段
９７１  入力インターフェース
９７２  表示手段
９７３  表示インターフェース
９８０  情報処理手段
９８１  ＲＡＭ
９８３  ＲＯＭ
９８４  記憶手段
９９０  タイマ
９９９  バス
【図１】
2007271655.tif 000003
【図２】
2007271655.tif 000004
【図３】
2007271655.tif 000005
【図４】
2007271655.tif 000006
【図５】
2007271655.tif 000007
【図６】
2007271655.tif 000008
【図７】
2007271655.tif 000009
【図８】
2007271655.tif 000010
【図９】
2007271655.tif 000011
【図１０】
2007271655.tif 000012
【図１１（ａ）】
2007271655.tif 000013
【図１１（ｂ）】
2007271655.tif 000014
【図１２（ａ）】
2007271655.tif 000015
【図１２（ｂ）】
2007271655.tif 000016
【図１３】
2007271655.tif 000017
【図１４】
2007271655.tif 000018